(57)【要約】ユーザによる操作負担を軽減して適切にテレビ（１）およびアンプ（２）を連携させる機器連携装置（１００）は、番組のジャンルごとに、そのジャンルに対応する音声出力モードを示すモード対応表（４１４ａ）を格納している対応表格納部（４１４）と、再生対象の番組のジャンルを取得する属性取得部（４１３ａ）と、そのモード対応表（４１４ａ）に示される複数の音声出力モードの中から、属性取得部（４１３ａ）によって取得されたジャンルに対応する音声出力モードを特定するモード特定部（４１３ｂ）と、モード特定部（４１３ｂ）によって特定された音声出力モードに従ってテレビ（１）およびアンプ（２）の動作を連携させる連携実行部（４１３ｃ）とを備える。
2007072791.tif 000002
【特許請求の範囲】
【請求項１】
コンテンツの再生に使用される複数の機器の動作を連携させる機器連携装置であって、
コンテンツの属性ごとに、当該属性に対応するモードを示すモード対応表を格納している対応表格納手段と、
再生対象のコンテンツの属性を取得する属性取得手段と、
前記モード対応表に示される複数のモードの中から、前記属性取得手段によって取得された属性に対応するモードを特定するモード特定手段と、
前記モード特定手段によって特定されたモードに従って前記複数の機器の動作を連携させることにより、前記複数の機器に前記再生対象のコンテンツを再生させる連携実行手段と
を備えることを特徴とする機器連携装置。
【請求項２】
前記複数の機器は、音声を出力する第１および第２の機器を含み、
前記連携実行手段は、
前記モード特定手段によって第１のモードが特定されたときには、前記第２の機器が音声出力を抑えて前記第１の機器が音声を出力するように、前記第１および第２の機器の動作を連携させ、
前記モード特定手段によって第２のモードが特定されたときには、前記第１の機器が音声出力を抑えて前記第２の機器が音声を出力するように、前記第１および第２の機器の動作を連携させる
ことを特徴とする請求項１記載の機器連携装置。
【請求項３】
前記第１の機器は、コンテンツの映像および音声を出力し、
前記連携実行手段は、
前記モード特定手段によって第１のモードが特定されたときには、前記第２の機器が音声出力を抑えて前記第１の機器が映像および音声を出力するように、前記第１および第２の機器の動作を連携させ、
前記モード特定手段によって第２のモードが特定されたときには、前記第１の機器が音声出力を抑えて映像を出力するとともに前記第２の機器が音声を出力するように、前記第１および第２の機器の動作を連携させる
ことを特徴とする請求項２記載の機器連携装置。
【請求項４】
前記連携実行手段は、前記複数の機器から出力される音声の音質を調整するように、前記複数の機器の動作を連携させる
ことを特徴とする請求項３記載の機器連携装置。
【請求項５】
前記連携実行手段は、さらに、前記モード特定手段によって特定されたモードに従って、前記第１の機器によって出力される映像の画質を調整する
ことを特徴とする請求項４記載の機器連携装置。
【請求項６】
前記連携実行手段は、前記複数の機器に対して、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）に基づくコマンドを送信することにより、前記複数の機器の動作を連携させる
ことを特徴とする請求項１記載の機器連携装置。
【請求項７】
前記属性取得手段は、放送されるコンテンツごとに当該コンテンツの属性を示す番組表から、前記再生対象のコンテンツの属性を取得する
ことを特徴とする請求項１記載の機器連携装置。
【請求項８】
前記属性は、放送されるコンテンツのジャンルまたはチャンネルである
ことを特徴とする請求項１記載の機器連携装置。
【請求項９】
コンテンツの再生に使用される複数の機器の動作を連携させる機器連携方法であって、
再生対象のコンテンツの属性を取得する属性取得ステップと、
コンテンツの属性ごとに、当該属性に対応するモードを示すモード対応表から、前記属性取得ステップで取得された属性に対応するモードを特定するモード特定ステップと、
前記モード特定ステップで特定されたモードに従って前記複数の機器の動作を連携させることにより、前記複数の機器に前記再生対象のコンテンツを再生させる連携実行ステップと
を含むことを特徴とする機器連携方法。
【請求項１０】
コンテンツの再生に使用される複数の機器の動作を連携させるためのプログラムであって、
再生対象のコンテンツの属性を取得する属性取得ステップと、
コンテンツの属性ごとに、当該属性に対応するモードを示すモード対応表から、前記属性取得ステップで取得された属性に対応するモードを特定するモード特定ステップと、
前記モード特定ステップで特定されたモードに従って前記複数の機器の動作を連携させることにより、前記複数の機器に前記再生対象のコンテンツを再生させる連携実行ステップと
をコンピュータに実行させることを特徴とするプログラム。
【請求項１１】
コンテンツの再生に使用される複数の機器の動作を連携させる集積回路であって、
コンテンツの属性ごとに、当該属性に対応するモードを示すモード対応表を格納している対応表格納手段と、
再生対象のコンテンツの属性を取得する属性取得手段と、
前記モード対応表に示される複数のモードの中から、前記属性取得手段によって取得された属性に対応するモードを特定するモード特定手段と、
前記モード特定手段によって特定されたモードに従って前記複数の機器の動作を連携させることにより、前記複数の機器に前記再生対象のコンテンツを再生させる連携実行手段と
を備えることを特徴とする集積回路。
【発明の詳細な説明】
【技術分野】
【０００１】  本発明は、例えばテレビやアンプなどの機器の連携を制御する機器連携装置に関する。
【背景技術】
【０００２】  近年、デジタル放送あるいはケーブルテレビ（以下、ＣＡＴＶという）放送を受信するセットトップボックス（以下、ＳＴＢという）、テレビ、アンプ、スピーカ、およびＤＶＤ（Ｄｉｇｉｔａｌ  Ｖｅｒｓａｔｉｌｅ  Ｄｉｓｋ）プレーヤを組み合わせたホームシアターシステムが家庭に本格普及しつつある。これらの機器は、それぞれに対してリモコンを用いて設定を行うことにより、マルチチャンネル音声、例えば５．１チャンネル音声の再生を実現することができる（例えば、非特許文献１参照）。【０００３】  また、アンプの電源スイッチのオン／オフ操作に連動して、音声をテレビ受信装置だけから出力するか、アンプに接続されているスピーカからも出力するかを切り換える技術（機器連携装置）が提案されている（例えば、特許文献１参照）。【０００４】  例えば、上記特許文献１の機器連携装置は、テレビ受信装置と組み合わせてサラウンドシステムを構成することが可能なＡＶアンプに備えられている。つまり、上記特許文献１の機器連携装置は、サラウンドシステムの利用と、テレビ受信装置単独の利用との切り換えを行なうことができる。【０００５】  図１は、上記特許文献１のＡＶアンプのブロック図を示す。【０００６】  このようなＡＶアンプ４０の機器連携装置は、サラウンドシステムの利用時に、ＡＶアンプ４０の電源スイッチ４１がオンにされると、切り換えスイッチ５０をセンタ音声増幅回路４８側に切り換える。その結果、ＡＶアンプ４０に接続された例えばＶＴＲ（Ｖｉｄｅｏ  Ｔａｐｅ  Ｒｅｃｏｒｄｅｒ）やＬＤ（Ｌａｓｅｒ  Ｄｉｓｃ）などの再生機器、またはテレビ受信装置から音声入力端子４３に供給されている音声信号がＤＳＰ４５を介して音声出力端子４９を経て周囲のスピーカに供給される。また、このようなＡＶアンプ４０の機器連携装置は、テレビ受信装置単独での利用時に、ＡＶアンプ４０の電源スイッチ４１がオフにされると、切り替えスイッチ５０をテレビ音声入力端子５１側に切り換える。その結果、テレビ受信装置の増幅回路で処理されたテレビ音声が、ＡＶアンプ４０を介してテレビ受信装置のスピーカに供給される。
【非特許文献１】Ｈｉｇｈ  Ｄｅｆｉｎｉｔｉｏｎ  Ｍｕｌｔｉｍｅｄｉａ  Ｉｎｔｅｒｆａｃｅ  ｓｐｅｃｉｆｉｃａｔｉｏｎ  Ｖｅｒｓｉｏｎ  １．２
【特許文献１】特開平５−１５３５２０号公報
【発明の開示】
【発明が解決しようとする課題】
【０００７】  しかしながら、上記特許文献１の機器連携装置では、サラウンドシステムの使用および不使用を切り換えるために、わざわざＡＶアンプの電源を操作しなければならないという問題がある。つまり、ユーザは、ＡＶアンプ４０に接続されたスピーカに音声を出力させるときには、ＡＶアンプ４０の電源をオンにしなければならず、そのスピーカ以外のテレビ受信装置に備えられたスピーカに音声を出力させるときには、ＡＶアンプ４０の電源をオフにしなければならない。【０００８】  そこで、本発明は、かかる問題に鑑みてなされたものであって、ユーザによる操作負担を軽減して適切に機器を連携させる機器連携装置を提供することを目的とする。
【課題を解決するための手段】
【０００９】  上記目的を達成するために、本発明に係る機器連携装置は、コンテンツの再生に使用される複数の機器の動作を連携させる機器連携装置であって、コンテンツの属性ごとに、当該属性に対応するモードを示すモード対応表を格納している対応表格納手段と、再生対象のコンテンツの属性を取得する属性取得手段と、前記モード対応表に示される複数のモードの中から、前記属性取得手段によって取得された属性に対応するモードを特定するモード特定手段と、前記モード特定手段によって特定されたモードに従って前記複数の機器の動作を連携させることにより、前記複数の機器に前記再生対象のコンテンツを再生させる連携実行手段とを備えることを特徴とする。例えば、前記複数の機器は、音声を出力する第１および第２の機器を含み、前記連携実行手段は、前記モード特定手段によって第１のモードが特定されたときには、前記第２の機器が音声出力を抑えて前記第１の機器が音声を出力するように、前記第１および第２の機器の動作を連携させ、前記モード特定手段によって第２のモードが特定されたときには、前記第１の機器が音声出力を抑えて前記第２の機器が音声を出力するように、前記第１および第２の機器の動作を連携させる。【００１０】  これにより、再生対象のコンテンツの属性に対応するモードが特定されて、そのモードに従って複数の機器の動作が連携するため、ユーザは、各機器に対する設定操作をわざわざ行うことなく、その再生対象のコンテンツを複数の機器を用いて適切に再生することができる。例えば、ユーザは、設定操作を行うことなく、音声を出力する機器を、再生対象のコンテンツの属性に従って切り換えることができる。このように、本発明に係る機器連携装置では、ユーザによる操作負担を軽減して適切に機器を連携させることができる。【００１１】  また、前記第１の機器は、コンテンツの映像および音声を出力し、前記連携実行手段は、前記モード特定手段によって第１のモードが特定されたときには、前記第２の機器が音声出力を抑えて前記第１の機器が映像および音声を出力するように、前記第１および第２の機器の動作を連携させ、前記モード特定手段によって第２のモードが特定されたときには、前記第１の機器が音声出力を抑えて映像を出力するとともに前記第２の機器が音声を出力するように、前記第１および第２の機器の動作を連携させることを特徴としてもよい。例えば、前記属性は、放送されるコンテンツのジャンルまたはチャンネルである。【００１２】  例えば、第１の機器がテレビであり、第２の機器がアンプであり、第１のモードがテレビモードであり、第２のモードがシアターモードである。また、モード対応表には、各ジャンルやチャンネルに対して、テレビモードまたはシアターモードが対応付けられており、モード特定手段は、属性取得手段によって取得されたジャンルやチャンネルに対応付けられているモード、即ちテレビモードまたはシアターモードを特定する。そして、連携実行手段は、特定されたモードがテレビモードであれば、アンプによる複数のスピーカからの音声出力を停止させ、テレビから音声を出力させる。一方、連携実行手段は、特定されたモードがシアターモードであれば、テレビからの音声出力を���止させ、アンプによる複数のスピーカから音声を出力させる。その結果、ユーザは、テレビやアンプに対して設定操作を行うことなく、再生対象のコンテンツのジャンルやチャンネルに従って、テレビモードとシアターモードとを簡単に切り換えることができる。【００１３】  また、前記連携実行手段は、前記複数の機器から出力される音声の音質を調整するように、前記複数の機器の動作を連携させることを特徴としてもよい。【００１４】  これにより、ユーザは、例えばテレビやアンプなどの機器に対して設定操作を行うことなく、再生対象のコンテンツの属性に応じて音質や音場を適切に切り換えることができる。【００１５】  また、前記連携実行手段は、さらに、前記モード特定手段によって特定されたモードに従って、前記第１の機器によって出力される映像の画質を調整することを特徴としてもよい。【００１６】  これにより、ユーザは、例えばテレビなどの機器に対して設定操作を行うことなく、再生対象のコンテンツの属性に応じて画質を適切に切り換えることができる。【００１７】  なお、本発明は、このような機器連携装置として実現することができるだけでなく、その方法やプログラム、そのプログラムを格納する記憶媒体、集積回路としても実現することができる。
【発明の効果】
【００１８】  本発明の機器連携装置は、ユーザによる操作負担を軽減して適切に機器を連携させることができるという作用効果を奏する。
【図面の簡単な説明】
【００１９】
【図１】図１は、従来例のＡＶアンプの構成図である。
【図２Ａ】図２Ａは、本発明の実施の形態における機器連携装置を含むシステムの構成を示す構成図である。
【図２Ｂ】図２Ｂは、本発明の実施の形態に係るホームシアターシステムの構成図である。
【図３】図３は、本発明の実施の形態に係るテレビの構成図である。
【図４】図４は、本発明の実施の形態に係るアンプの構成図である。
【図５Ａ】図５Ａは、本発明の実施の形態に係るＳＴＢの構成図である。
【図５Ｂ】図５Ｂは、本発明の実施の形態に係る機器制御部の構成図である。
【図６】図６は、本発明の実施の形態に係るＳＴＢ用リモコンの操作パネルを示す図である。
【図７Ａ】図７Ａは、本発明の実施の形態に係る番組表の一例を示す図である。
【図７Ｂ】図７Ｂは、本発明の実施の形態に係る番組表の他の例を示す図である。
【図８】図８は、本発明の実施の形態に係る第２メモリに保存されている番組情報表示データの一例を示す図である。
【図９】図９は、本発明の実施の形態に係る第２メモリに保存されているチャンネル情報の一例を示す図である。
【図１０Ａ】図１０Ａは、本発明の実施の形態に係る第２メモリに保存されているチャンネル識別子の一例を示す図である。
【図１０Ｂ】図１０Ｂは、本発明の実施の形態に係る第２メモリに保存されているチャンネル識別子の他の例を示す図である。
【図１０Ｃ】図１０Ｃは、本発明の実施の形態に係る第２メモリに保存されているチャンネル識別子のさらに他の例を示す図である。
【図１１】図１１は、本発明の実施の形態に係るモード対応表の一例を示す図である。
【図１２】図１２は、本発明の実施の形態に係るホームシアターシステムの動作を表すフローチャートである。
【図１３】図１３は、本発明の実施の形態の変形例１に係るモード対応表の一例を示す図である。
【図１４】図１４は、本発明の実施の形態の変形例１に係るホームシアターシステムの動作を表すフローチャートである。
【図１５】図１５は、本発明の実施の形態の変形例２に係る番組情報表示データの一例を示す図である。
【図１６】図１６は、本発明の実施の形態の変形例２に係るホームシアターシステムの動作を表すフローチャートである。
【図１７】図１７は、本発明の実施の形態の変形例３に係るモード対応表の一例を示す図である。
【図１８】図１８は、本発明の実施の形態の変形例３に係るホームシアターシステムの動作を表すフローチャートである。
【図１９】図１９は、本発明の実施の形態の変形例４に係るホームシアターシステムの動作を表すフローチャートである。
【図２０】図２０は、本発明に係るディスプレイに表示されるメッセージの一例を示す図である。
【符号の説明】
【００２０】  １    テレビ
２    アンプ
３    スピーカ
４    ＳＴＢ
１００    機器連携装置
２０１    メモリ
２０２    リモコン受信部
２０３    マイコン
２０４    ＨＤＭＩ−ＣＥＣ通信部
２０５    チューナ
２０６    デコーダ
２０７    ディスプレイ
２０８    スピーカ
３０１    ＨＤＭＩ−ＣＥＣ通信部
３０２    マイコン
３０３    ＨＤＭＩ−ＣＥＣ通信部
３０４    セレクター
３０５    外部入力部
３０６    スピーカ出力部
４０１    リモコン受信部
４０２    第１メモリ
４０３    第２メモリ
４０４    受信部
４０５    多重分離部
４０６    デスクランブラ
４０７    ＴＳデコーダ
４０８    映像出力部
４０９    音声出力部
４１０    ＨＤＭＩ−ＣＥＣ通信部
４１１    マイコン
４１２    ＥＰＧ制御部
４１３    機器制御部
４１３ａ    属性取得部
４１３ｂ    モード特定部
４１３ｃ    連携実行部
４１４    対応表格納部
４１４ａ    モード対応表
【発明を実施するための最良の形態】
【００２１】  以下、本発明の実施の形態に係る機器連携装置について、図面を用いて説明する。【００２２】  図２Ａは、本実施の形態における機器連携装置を含むシステムの構成を示す構成図である。【００２３】  このシステムは、本実施の形態における機器連携装置Ａと、ｎ個の機器Ｂ１，Ｂ２，…，Ｂｎとから構成されている。この機器連携装置Ａは、ユーザによる操作負担を軽減して適切に機器Ｂ１，Ｂ２，…，Ｂｎの動作を連携させる。つまり、本実施の形態における機器連携装置Ａによる機器Ｂ１，Ｂ２，…，Ｂｎの制御によって、これらの機器Ｂ１，Ｂ２，…，Ｂｎが連携した処理を実行する。【００２４】  例えば、本実施の形態に係る機器連携装置Ａは、セットトップボックス（以下、ＳＴＢという）に備えられ、ＳＴＢ、テレビ、アンプ、およびスピーカをそれぞれ上述の機器として連携させる。このようなＳＴＢ、テレビ、アンプ、およびスピーカからホームシアターシステムが構成される。【００２５】  図２Ｂは、本実施の形態に係るホームシアターシステムの構成を示す構成図である。【００２６】  図２Ｂに示すように、ホームシアターシステムは、テレビ１、アンプ２、スピーカ３、およびＳＴＢ４を備えている。【００２７】  本実施の形態におけるＳＴＢ４、テレビ１、およびアンプ２は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）コマンドを送受信するＨＤＭＩ−ＣＥＣ通信部を保持し、そのコマンドであるＨＤＭＩ−ＣＥＣメッセージを用いて、例えばシアターモードとテレビモードなどの音声出力モードを、再生されるコンテンツに応じて自動的に切り換える。【００２８】  なお、ＨＤＭＩ仕様の詳細は、Ｈｉｇｈ  Ｄｅｆｉｎｉｔｉｏｎ  Ｍｕｌｔｉｍｅｄｉａ  Ｉｎｔｅｒｆａｃｅ  ｓｐｅｃｉｆｉｃａｔｉｏｎ  Ｖｅｒｓｉｏｎ  １．２に記載されており、また、ＨＤＭＩ−ＣＥＣ仕様は、同仕様書のＡｐｐｅｎｄｉｘ「ｓｕｐｐｌｅｍｅｎｔａｌ  １  Ｃｏｎｓｕｍｅｒ  Ｅｌｅｃｔｒｏｎｉｃｓ  Ｃｏｎｔｒｏｌ」において規定されている。ＨＤＭＩ規格は、映像／音声の非圧縮デジタルデータを機器間で伝送するための伝送規格であり、伝送にはＨＤＭＩ規格に準拠した一本のケーブルが用いられる。ＨＤＭＩ−ＣＥＣでは、そのケーブル（ＨＤＭＩケーブル）を介して機器間で双方向に機器制御コマンドを伝送するための仕様が規定されている。２００５年１１月現在、ｗｗｗ．ｈｄｍｉ．ｏｒｇからＨＤＭＩ仕様書をダウンロードすることで取得できる。【００２９】  テレビ１は、ＨＤＭＩ入力端子を保持し、アンプ２とＨＤＭＩケーブルで接続されている。テレビ１は、アンプ２から送られてきた映像・音声を再生することができる。また、テレビ１は、ＨＤＭＩケーブルを通して送られてきたＨＤＭＩ−ＣＥＣコマンドを受け取り、受け取ったコマンドに対応する処理を行うことができる。【００３０】  アンプ２は、ＨＤＭＩ出力端子およびＨＤＭＩ入力端子を保持し、テレビ１およびＳＴＢ４にＨＤＭＩケーブルで接続されている。また、アンプ２は、スピーカ３とスピーカ用ケーブルで接続されている。アンプ２は、ＳＴＢ４から映像・音声���受け取る。アンプ２は、受け取った映像をテレビ１に送信し、受け取った音声をテレビ１またはスピーカ３に送信する。アンプ２は、ＨＤＭＩケーブルを通して送られてきたＨＤＭＩ−ＣＥＣコマンドを受け取り、コマンドに対応する処理を行うことができる。【００３１】  スピーカ３は、映画館などでの臨場感のある音響効果を再現するためのマルチチャンネル音声の再生、例えば５．１チャンネル再生を行うスピーカの集合である。スピーカ３は、実際には、６つのスピーカ（図示せず）から構成される。つまり、スピーカ３は、ユーザに対して、正面、右前方、左前方、右後方、および左後方に配置される５つのスピーカと、低音出力用スピーカとで構成される。スピーカ３は、アンプ２から音声信号を受け取り、音声を出力する。【００３２】  ＳＴＢ４は、テレビ放送の受信・再生を行う。また、ＳＴＢ４は、再生した映像音声を出力するためのＨＤＭＩ出力端子を保持している。【００３３】  なお、本実施の形態において、音声がアンプ２に接続されているスピーカ３から出力される音声出力モードをシアターモードといい、音声がテレビ４に内蔵されているスピーカから出力される音声出力モードをテレビモードという。【００３４】  図３は、テレビ１の構成を示す構成図である。【００３５】  図３に示すように、テレビ１は、メモリ２０１と、リモコン受信部２０２と、マイコン２０３と、ＨＤＭＩ−ＣＥＣ通信部２０４と、チューナ２０５と、デコーダ２０６と、ディスプレイ２０７と、スピーカ２０８とから構成されている。【００３６】  テレビ１は、ユーザによって直接操作されたり、リモートコントロール装置（図示せず）（以下、テレビ用リモコンという）を用いても操作される。【００３７】  マイコン２０３は、リモコン受信部２０２がテレビ用リモコンから発信されたコマンドを受信すると、そのコマンドに応じた処理を行い、チューナ２０５の選局切換や、デコーダ２０６の処理を制御する。デコーダ２０６は、チューナ２０５やＨＤＭＩ−ＣＥＣ通信部２０４から入力された映像・音声信号を、マイコン２０３の指示に応じて、ディスプレイ２０７やスピーカ２０８に出力する。また、マイコン２０３は、ＨＤＭＩ−ＣＥＣ通信部２０４から入力されたＨＤＭＩ−ＣＥＣコマンドに応じて、各設定や制御を行う。【００３８】  また、テレビ１は、本体フロントパネル等に、ボタン等を有する入力部（図示せず）を具備し、この入力部からの入力によって、テレビ用リモコンを用いた操作と同様の操作を受け付ける。【００３９】  図４は、アンプ２の構成を示す構成図である。【００４０】  図４に示すように、アンプ２は、ＨＤＭＩ−ＣＥＣ通信部３０１と、マクロコンピュータ（以下、マイコンという）３０２と、ＨＤＭＩ−ＣＥＣ通信部３０３と、セレクター３０４と、外部入力部３０５と、スピーカ出力部３０６と、リモコン受信部３０７とから構成されている。【００４１】  アンプ２は、ユーザによって直接操作されたり、リモートコントロール装置（図示せず）（以下、アンプ用リモコンという）を用いても操作される。【００４２】  マイコン３０２は、リモコン受信部３０７がアンプ用リモコンから発信されたコマンドを受信すると、そのコマンドに応じた処理を行う���また、マイコン３０２は、ＨＤＭＩ−ＣＥＣ通信部３０１またはＨＤＭＩ−ＣＥＣ通信部３０３により受信されたＨＤＭＩ−ＣＥＣコマンドに応じた処理を行う。【００４３】  セレクター３０４は、マイコン３０２からの指示に応じて、ＨＤＭＩ−ＣＥＣ通信部３０３から出力される音声信号と、外部入力部３０５から出力される音声信号とを切り換え、切り換えられた音声信号をスピーカ出力部３０６に出力する。ここで、セレクター３０４は、音声信号のフォーマット（ステレオ音声のフォーマットや、５．１チャンネル音声のフォーマットなど）に応じた態様で、その音声信号をスピーカ３に出力する。【００４４】  また、アンプ２は、本体フロントパネル等に、ボタン等を有する入力部（図示せず）を具備し、この入力部からの入力によって、アンプ用リモコンを用いた操作と同様の操作を受け付ける。【００４５】  図５Ａは、本実施の形態に係るＳＴＢ４の構成を示す構成図である。【００４６】  図５Ａに示すように、ＳＴＢ４は、リモコン受信部４０１と、第１メモリ４０２と、第２メモリ４０３と、受信部４０４と、多重分離部４０５と、デスクランブラ４０６と、ＴＳデコーダ４０７と、映像出力部４０８と、音声出力部４０９と、ＨＤＭＩ−ＣＥＣ通信部４１０と、マイコン４１１と、ＥＰＧ制御部４１２と、機器制御部４１３と、対応表格納部４１４とから構成されている。【００４７】  本実施の形態では、機器制御部４１３と対応表格納部４１４とから、番組の再生に使用されるアンプ２やテレビ１の動作を連携させる機器連携装置１００が構成されている。【００４８】  ＳＴＢ４は、ユーザによって直接操作されたり、リモートコントロール装置（図示せず）（以下、ＳＴＢ用リモコンという）を用いても操作される。【００４９】  マイコン４１１は、リモコン受信部４０１がＳＴＢ用リモコンから発信されたコマンドを受信すると、そのコマンドに応じた処理を行う。つまり、マイコン４１１は、受信部４０４、多重分離部４０５、デスクランブラ４０６、ＴＳデコーダ４０７、およびＨＤＭＩ−ＣＥＣ通信部４１０を制御する。【００５０】  第１メモリ４０２は、ＲＡＭ（Ｒａｎｄｏｍ  Ａｃｃｅｓｓ  Ｍｅｍｏｒｙ）の等で構成され、マイコン４１１が一時的にデータを保存する際に使用される。【００５１】  第２メモリ４０３は、フラッシュメモリーやハードディスク等、電源供給が停止しても情報を保持可能なデバイスで構成される。なお、第２メモリ４０３を、ＳＤ（Ｓｅｃｕｒｅ  Ｄｉｇｉｔａｌ：登録商標）メモリーカード等の取り外し可能な記憶デバイスとして構成してもよい。【００５２】  受信部４０４は、ケーブルテレビ局からのケーブルに接続され、放送波を受信し、マイコン４１１から指定された周波数にチューニングし、ＭＰＥＧトラスポートストリームを抽出して多重分離部４０５に引き渡す。【００５３】  多重分離部４０５は、受信部４０４からＭＰＥＧトラスポートストリームを受け取り、マイコン４１１から指定された情報をそのＭＰＥＧトラスポートストリームから抽出してマイコン４１１に引渡す。また、多重分離部４０５は、ＭＰＥＧトラスポートストリームをそのままデスクランブラ４０６に引き渡す。【００５４】  デスクランブラ４０６は���多重分離部４０５から与えられたスクランブルされているＭＰＥＧトラスポートストリームをデスクランブル（＝復号）し、ＴＳデコーダ４０７に引き渡す。デスクランブラ４０６は、ＳＴＢ４に内蔵されたモジュールでも良いし、北米ケーブル受信機で導入されているＣａｂｌｅＣＡＲＤ（登録商標）でもよい。ＣａｂｌｅＣＡＲＤの仕様は米国ＣａｂｌｅＬａｂｓが策定したＣａｂｌｅＣＡＲＤ  Ｉｎｔｅｒｆａｃｅ  Ｓｐｅｃｉｆｉｃａｔｉｏｎに記載されており、ここでは説明を省略する。【００５５】  ＴＳデコーダ４０７は、マイコン４１１から音声データと映像データの識別子を受け取る。さらに、ＴＳデコーダ４０７は、デスクランブラ４０６から受け取ったデスクランブルされたストリームから、受け取った音声データと映像データの識別子に対応する音声データと映像データを抽出する。そして、ＴＳデコーダ４０７は、抽出した映像データを映像出力部４０８に引き渡し、音声データを音声出力部４０９に引き渡す。また、ＴＳデコーダ４０７は、その両方（映像データおよび音声データ）を、ＨＤＭＩ−ＣＥＣ通信部４１０に引き渡す。【００５６】  映像出力部４０８は、映像出力端子を含み、受け取った映像データをその映像出力端子に対応した映像データに変換して出力する。映像出力端子の例としては、コンポジットケーブル端子などがある。【００５７】  音声出力部４０９は、音声出力端子を含み、受け取った音声データをその音声出力端子に対応した音声データに変換して出力する。音声出力端子の例としては、イヤホン端子や、コンポジットケーブル端子などがある。【００５８】  ＨＤＭＩ−ＣＥＣ通信部４１０は、ＨＤＭＩ端子を含み、受け取った映像データおよび音声データをＨＤＭＩ仕様に基づいた映像音声データ形式に変換して出力する。また、ＨＤＭＩ−ＣＥＣ通信部４１０は、マイコン４１１からＨＤＭＩ−ＣＥＣコマンド送信の指示を受け取ると、所定のコマンドをＨＤＭＩ仕様に基づいたデータ形式に変換してそのコマンドを出力する。また、ＨＤＭＩ−ＣＥＣ通信部４１０は、ＨＤＭＩ端子を通して受け取ったＨＤＭＩ−ＣＥＣコマンドをマイコン４１１に引き渡す。【００５９】  図５Ｂは、機器制御部４１３の内部構成を示す構成図である。【００６０】  機器制御部４１３は、属性取得部４１３ａと、モード特定部４１３ｂと、連携実行部４１３ｃとを備えている。【００６１】  属性取得部４１３ａは、再生対象の番組の属性たるジャンル情報を取得（抽出）する。モード特定部４１３ｂは、後述するモード対応表４１４ａに示される複数の音声出力モードの中から、属性取得部４１３ａによって取得された属性に対応する音声出力モードを特定する。連携実行部４１３ｃは、ＨＤＭＩ−ＣＥＣ通信部４１０に対してＨＤＭＩ−ＣＥＣコマンドを送信させることにより、モード特定部４１３ｂによって特定された音声出力モードに従ってテレビ１およびアンプ２の動作を連携させる。その結果、テレビ１およびアンプ３は、その音声出力モードで再生対象の番組を再生する。【００６２】  ＥＰＧ制御部４１２は、テレビ番組の一覧を表示するとともに、ユーザからの入力を受け付ける番組表示部（図示せず）と、チャンネルの選局を行う再生部（図示せず）とで��成される。ここで、ＥＰＧは、Ｅｌｅｃｔｒｉｃ  Ｐｒｏｇｒａｍ  Ｇｕｉｄｅの略である。番組表示部は、ＳＴＢ４のリモコン受信部４０１を通して、ユーザからの入力を待つ。【００６３】  図６は、ＳＴＢ用リモコンの操作パネルを示す図である。【００６４】  図６に示すように、操作パネル５００は、上カーソルボタン５０１、下カーソルボタン５０２、左カーソルボタン５０３、右カーソルボタン５０４、ＯＫボタン５０５、取消ボタン５０６、ＥＰＧボタン５０７、シアターボタン５０８の８つのボタンを備えている。ユーザがこれらのボタンを押下すると、押下されたボタンの識別子が、リモコン受信部４０１を介してマイコン４１１に通知される。【００６５】  ユーザは、ＳＴＢ用リモコンにある操作パネル５００のＥＰＧボタン５０７を押下すると、ＥＰＧボタンの識別子がリモコン受信部４０１を介してマイコン４１１に通知される。ＥＰＧ制御部４１２の番組表示部は、この識別子を受け取ると、番組情報表示データをＨＤＭＩ−ＣＥＣ通信部４１０からテレビ１に出力させる。テレビ１は、アンプ２を介してその番組情報表示データを受け取り、番組表（ＥＰＧ）を表示する。【００６６】  図７Ａ及び図７Ｂは、テレビ１に表示された番組表の一例を示す図である。【００６７】  図７Ａに示すように、テレビ１には、格子状に番組情報が表示されている。列６０１には、時刻情報が表示されている。列６０２には、チャンネル名「チャンネル１」と、列６０１の時刻に対応する時間帯に放映される番組の名称とが表示されている。「チャンネル１」では、９：００〜１０：３０に番組「ニュース９」が放映され、１０：３０〜１４００に番組「映画ＡＡＡ」が放映されることが表されている。列６０３にも、列６０２と同様、チャンネル名「チャンネル２」と、列６０１の時刻に対応する時間帯に放映される番組の名称とが表示されている。９：００〜１１：００に番組「映画ＢＢＢ」が放映され、１１：００〜１４００に番組「サッカー」が放映されることが表わされている。カーソル６３０は、操作パネル５００の左カーソルボタン５０３と右カーソルボタン５０４が押下されると移動する。図７Ａの状態で、右カーソルボタン５０４が押下されると、図７Ｂに示すように、カーソル６３０は右に移動する。また、図７Ｂの状態で、左カーソルボタン５０３が押下されると、図７Ａに示すように、カーソル６３０は左に移動する。【００６８】  図７Ａの状態で、操作パネル５００のＯＫボタン５０５が押下されると、ＥＰＧ制御部４１２の番組表示部は、「チャンネル１」の識別子を再生部に通知する。図７Ｂの状態で、操作パネル５００のＯＫボタン５０５が押下されると、番組表示部は、「チャンネル２」の識別子を再生部に通知する。【００６９】  また、ＥＰＧ制御部４１２の番組表示部は、放送波に重畳された番組情報表示データを、多重分離部４０５を通して定期的に、第２メモリ４０３に記録しておく。一般的に、放送局からの番組情報表示データの取得には時間が掛かる。操作パネル５００のＥＰＧボタン５０７が押下された時、番組表示部は、第２メモリ４０３に予め保存された番組情報表示データを読み出すことで、素早く番組表を表示することができる。【００７０】  図８は、第２メモリ４０３に記憶されている番組情報表示データの一例を示す図である。【００７１】  番組情報表示データに含まれる各番組情報は表形式で格納されている。列７０１は、チャンネルの識別子である。列７０２は、番組名である。列７０３は番組の放送開始時間、列７０４は放送終了時間である。列７０５は、番組の音声種別を表しており、モノラル音声、ステレオ音声、および５．１チャンネル音声をそれぞれ「モノラル」、「ステレオ」、および「５．１」と表記している。列７０６は、番組の種別（ジャンル情報）を表している。通常番組の種別（ジャンル情報）は空欄で示され、映画番組の種別（ジャンル情報）は「映画」で示され、スポーツ番組の種別（ジャンル情報）は「スポ」で表される。行７１１〜７１４の各行は、それぞれ１つの番組情報を表す。この例では、１つの番組情報は、チャンネルの識別子、番組名、放送開始時間、放送終了時間、番組の音声種別、および番組の種別の組となる。例えば、行７１１は、チャンネル識別子が「１」、番組名が「ニュース９」、放送開始時間が「９：００」、放送終了時間が「１０：３０」、音声種別が「モノラル」、番組の種別が「通常」であることを示す組となっている。【００７２】  再生部は、受け取ったチャンネルの識別子を用いて、そのチャンネルの番組を再生する、すなわちチャンネルを構成する映像と音声を再生する。チャンネルの識別子とチャンネルの関係は、チャンネル情報として、第２メモリ４０３に予め格納されている。【００７３】  図９は、第２メモリ４０３に格納されているチャンネル情報の一例を示す図である。【００７４】  チャンネル情報は表形式で格納されている。つまり、第２メモリ４０３には、表形式で複数のチャンネル情報を示すチャンネル情報テーブル８００が格納されている。列８０１は、チャンネルの識別子である。列８０２は、チャンネル名である。列８０３はチューニング情報である。ここで、チューニング情報は、周波数や転送レート、符号化率などを含み、受信部４０４に与える値である。列８０４はプログラムナンバーである。プログラムナンバーとは、ＭＰＥＧ２規格で規定されているＰＭＴ（Ｐｒｏｇｒａｍ  Ｍａｐ  Ｔａｂｌｅ）を識別するための番号である。行８１１〜８１４の各行は、各チャンネルの識別子、チャンネル名、チューニング情報、およびプログラムナンバーの組となる。行８１１は、識別子が「１」、チャンネル名が「チャンネル１」、チューニング情報が周波数「１５０ＭＨｚ」、プログラムナンバーが「１０１」であることを示す組となっている。再生部は、チャンネルの再生を行うため、受け取ったチャンネルの識別子を用いてそのチャンネルの番組を再生する。【００７５】  また、再生部は、再生中に、ユーザが操作パネル５００の上カーソルボタン５０１と下カーソルボタン５０２を押下すると、リモコン受信部４０１からマイコン４１１を通して、その押下に応じた通知を受け取り、再生している番組のチャンネルを変更する。つまり、ユーザが上カーソルボタン５０１を押下すると、再生部は、現在再生中の番組のチャンネルよりも一つ小さいチャンネル識別子を持つチャンネルの番組を再生し、ユーザが下カーソルボタン５０２を押下すると、現在再���中の番組のチャンネルよりも一つ大きいチャンネル識別子を持つチャンネルの番組を再生する。そして、再生部は、第２メモリ４０３に現在再生中の番組のチャンネル識別子を記録する。【００７６】  図１０Ａ、図１０Ｂおよび図１０Ｃは、第２メモリ４０３に保存しているチャンネル識別子の例を示す図である。【００７７】  図１０Ａに示すように、チャンネル識別子「３」が記憶されている場合、図９に示すように、そのチャンネル識別子は、チャンネル名「ＴＶ  ３」のチャンネルの番組が再生中であることを示す。図１０Ａの状態で、ユーザが上カーソルボタン５０１を押下すると、再生部は、図９のチャンネル情報テーブル７００を参照し、表中で現在再生中のチャンネルよりも一つ小さいチャンネル識別子を持つチャンネルであるチャンネル名「チャンネル２」のチャンネルの番組に再生を切り変える。同時に、再生部は、第２メモリ４０３に記憶されているチャンネル識別子を「２」に書き換える。図１０Ｂは、チャンネル識別子が書き換えられた状態を表す。また、図１０Ａの状態で、ユーザが下カーソルボタン５０２を押下すると、再生部は、図９のチャンネル情報テーブル７００を参照し、表中で現在再生中のチャンネルよりも一つ大きいチャンネル識別子を持つチャンネルであるチャンネル名「ＴＶ  Ｊａｐａｎ」のチャンネルの番組に再生を切り変える。同時に、再生部は、第２メモリ４０３に記憶されているチャンネル識別子を「４」に書き換える。図１０Ｃは、チャンネル識別子が書き換えられた状態を表す。チャンネル識別子は、第２メモリ４０３に記憶されているので、ＳＴＢ４の電源が切られた際も保存されている。【００７８】  更に再生部は、ＳＴＢ４の電源が投入された際に、第２メモリ４０３に記憶されているチャンネル識別子を読み出す。これにより、ＳＴＢ４は、電源投入時に前回の稼動時に再生されていた最後の番組のチャンネルの再生を開始することができる。【００７９】  機器制御部４１３は、ＨＤＭＩ−ＣＥＣ通信部４１０を制御し、ＨＤＭＩケーブルで接続されている他の機器の制御などを行う。以下、より具体的に機器制御部４１３の動作を説明する。【００８０】  機器制御部４１３は、ＳＴＢ４のＨＤＭＩ−ＣＥＣ通信部４１０にＨＤＭＩケーブルで接続されている機器（図２Ｂに示した本実施の形態におけるシステムではテレビ１またはアンプ２）に対して、電源をＯＮ及び電源ＯＦＦするためのＨＤＭＩ−ＣＥＣコマンドを送信する。このコマンドを送信することで、接続機器の電源をＯＮもしくはＯＦＦにすることができる。実際には、このコマンドを送信する前に、機器制御部４１３は、接続されている機器の電源状態をＨＤＭＩ−ＣＥＣコマンドの送受信を行うことで確認し、電源がＯＮになっていなければ、電源ＯＮのコマンドを送信する。これによりＨＤＭＩ−ＣＥＣコマンドの送受信に伴う通信トラフィックや処理時間遅れを抑制できる。また、機器制御部４１３は、電源ＯＮもしくはＯＦＦのコマンドを送信した後、接続機器の電源状態を確認するコマンドを定期的に送信することで、接続機器が所望の電源状態に遷移したかを確認する。【００８１】  また、機器制御部４１３は、テレビ１とアンプ２にＨＤＭＩ−ＣＥＣコマンドを送信し、シアターモードとテレビモードの切り換えを行う。この処理には、複数のＨＤＭＩ−ＣＥＣコマンドを順次送信して行う。以下、これについて、より具体的な処理を説明する。【００８２】  このコマンド送信により、映像音声の配信元がＳＴＢ４になる。また、テレビ１は、シアターモードへの切り換えを示すＨＤＭＩ−ＣＥＣコマンドを受信すると、テレビ１のスピーカ２０８からの音声出力を停止させ、つまりミュートをＯＮにし、受信している映像のみをディスプレイ２０７に表示させる。一方、アンプ２は、このシアターモードへの切り換えを示すＨＤＭＩ−ＣＥＣコマンドを受信すると、ＳＴＢ４からＨＤＭＩケーブルを通して送られてくる音声信号をスピーカ３に出力し、そのスピーカ３から音声を出力させる。ここで、ＳＴＢ４から出力される音声信号がモノラルであれば、アンプ２はモノラルの音声を出力する。また、その音声信号がステレオであれば、アンプ２はステレオの音声を出力し、その音声信号が５．１チャンネルであれば、アンプ２は５．１チャンネルの音声を出力する。【００８３】  また、ＳＴＢ４は、テレビモードへの切り換えを示すＨＤＭＩ−ＣＥＣコマンドを送ることで、シアターモードを終了し、音声出力モードをテレビモードに切り換える。この場合、テレビ１は、テレビモードへの切り換えを示すＨＤＭＩ−ＣＥＣコマンドを受信すると、テレビ１のスピーカ２０８から音声を出力させ、つまりミュートをＯＦＦにし、受信している映像と音声を出力する。一方、アンプ２は、このテレビモードへの切り換えを示すＨＤＭＩ−ＣＥＣコマンドを受信すると、スピーカ３からの音声出力を停止させる。【００８４】  本実施の形態の機器連携装置１００は、ＳＴＢ４で受信されてテレビ１において再生される番組のジャンル情報（種別）に基づいて、その番組の音声出力モードを、その番組に最適なモード、つまり、テレビモードとシアターモードのいずれかに切り換える。【００８５】  以下、この動作について、図面を参照しながら詳細に説明する。【００８６】  ＳＴＢ４の対応表格納部４１４は、多重分離部４０５を通して取得される番組情報に含まれるジャンル情報（種別）と、そのジャンル情報に対応する音声出力モードとの対応関係を定義したモード対応表４１４ａを記憶している。【００８７】  図１１は、対応表格納部４１４に格納されているモード対応表４１４ａの一例を示す図である。この例では、ジャンル情報と音声出力モードの対応関係が表形式で格納されている。列１００１は、ジャンル情報たるジャンル名である。列１００２は、列１００１のジャンル名に対応する音声出力モードである。なお、図１１中、テレビはテレビモードを示し、シアターはシアターモードを示す。列１００２の音声出力モードには、少なくとも「テレビ（テレビモード）」か「シアター（シアターモード）」が設定される。行１００１〜１００２の各行は、それぞれ、ジャンル情報と音声出力モードの対応関係を表す。例えば、行１００１は、ジャンル名「ニュース」と、音声出力モード「テレビモード」と示す組となっている。【００８８】  本実施の形態では、このようなジャンル情報と音声出力モードの対応関係、つまりモード対応表４１４ａは、予め所定の内容が初期値���して含まれるように作成されて対応表格納部４１４に格納されている。なお、ユーザがＳＴＢ４を操作することにより、モード対応表４１４ａの内容を所望の内容に変更できるように、例えば音声出力モードを追加できるように、ＳＴＢ４を構成してもよい。また、放送波に多重されたデータなどを用いてモード対応表４１４ａの内容を更新できるように、ＳＴＢ４を構成してもよい。また、モード対応表４１４ａを放送波から取得するようにＳＴＢ４を構成してもよい。このような変更や更新の方法は、従来の技術により容易に実現可能であるので、詳細な説明を省略する。【００８９】  次に、本実施の形態の処理の流れを、図１２を用いて説明する。【００９０】  図１２は、本実施の形態におけるホームシアターシステムの動作を示すフローチャートである。【００９１】  まず、機器制御部４１３の属性取得部４１３ａは、受信した番組の番組情報から、ジャンル情報を抽出する。例えば、機器制御部４１３の属性取得部４１３ａは、図８に示す番組情報表示データの中から、受信した番組の番組情報に含まれるジャンル情報を抽出する。具体的に、機器制御部４１３の属性取得部４１３ａは、時刻１１時に再生されている番組のチャンネル識別子が「１」である場合、ジャンル情報として「映画」を抽出する（ステップＳ１１０１）。【００９２】  ステップＳ１１０１で、ジャンル情報が抽出されると、機器制御部４１３のモード特定部４１３ｂは、図１１で説明したモード対応表４１４ａを参照し、抽出されたジャンル情報に対応する音声出力モードが「テレビモード」であるか「シアターモード」であるかを特定する。例えば、ステップＳ１１０１で得られたジャンル情報が「映画」である場合、機器制御部４１３のモード特定部４１３ｂは、図１１に示したモード対応表４１４ａを参照して、「映画」に対応する音声出力モードとして「シアターモード」を特定する。また、ステップＳ１１０１で特定されたジャンル情報が「ニュース」である場合には、機器制御部４１３のモード特定部４１３ｂは、音声出力モードとして「テレビモード」を特定する（ステップＳ１１０２）。【００９３】  機器制御部４１３の連携実行部４１３ｃは、ステップＳ１１０２で特定された音声出力モードが「シアターモード」および「テレビモード」のいずれであるかを判断する（ステップＳ１１０３）。【００９４】  機器制御部４１３の連携実行部４１３ｃは、音声出力モードがシアターモードであると判断すると（ステップＳ１１０３のシアターモード）、ＨＤＭＩ−ＣＥＣ通信部４１０を介してテレビ１に対して、テレビ１の音声出力をミュートするように要求するＨＤＭＩ−ＣＥＣコマンドを送信する（ステップＳ１１０４）。この場合、ＨＤＭＩ−ＣＥＣコマンドは、アンプ２を介してテレビ１に伝送される。【００９５】  また、機器制御部４１３の連携実行部４１３ｃは、ＨＤＭＩ−ＣＥＣ通信部４１０を介してアンプ２に対して、スピーカ出力部３０６から音声信号を出力させることを伝えるＨＤＭＩ−ＣＥＣコマンドを送信する（ステップＳ１１０５）。【００９６】  ステップＳ１１０４で、ＳＴＢ４からアンプ２を介してＨＤＭＩ−ＣＥＣコマンドが送信されると、テレビ１のＨＤＭＩ−ＣＥＣ通信部２０４は、その送信されたコマンドを受信して、マイコン２０３に出力する。テレビ１のマイコン２０３は、そのコマンドを解析し、スピーカ２０８から出力させる音声を抑える、つまりミュートする（ステップＳ１１０６）。【００９７】  ステップＳ１１０５で、ＳＴＢ４のＨＤＭＩ−ＣＥＣ通信部４１０から、スピーカ出力部３０６から音声を出力させることを伝えるＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、セレクター３０４を介して、スピーカ出力部３０６から音声信号を出力させる（ステップＳ１１０７）。ここで、ＳＴＢ４から出力される音声信号がモノラルであれば、アンプ２は、モノラルの音声を出力する。また、その音声信号がステレオであれば、アンプ２はステレオの音声を出力し、その音声信号が５．１チャンネルであれば、アンプ２は５．１チャンネルの音声を出力する。また、アンプ２は、ステレオの音声を擬似的に５．１チャンネルの音声に変換して出力したり、逆に、５．１チャンネルの音声を擬似的にステレオの音声に変換して出力したりしてもよい。【００９８】  以上のステップＳ１１０４〜Ｓ１１０７の処理により、本実施の形態の機器連携装置１００は、シアターモードとして音声を出力する。【００９９】  一方、機器制御部４１３の連携実行部４１３ｃは、音声出力モードがテレビモードであると判断すると（ステップＳ１１０３のテレビモード）、ＨＤＭＩ−ＣＥＣ通信部４１０を介して、テレビ１に対して、テレビ１の音声出力のミュートを解除するように要求するＨＤＭＩ−ＣＥＣコマンド、つまり音声を出力するように要求するＨＤＭＩ−ＣＥＣコマンドを送信する（ステップＳ１１１４）。この場合、ＨＤＭＩ−ＣＥＣコマンドは、アンプ２を介してテレビ１に伝送されることになる。【０１００】  また、機器制御部４１３の連携実行部４１３ｃは、ＨＤＭＩ−ＣＥＣ通信部４１０を介してアンプ２に対して、スピーカ出力部３０６からの音声信号の出力を抑えるように要求するＨＤＭＩ−ＣＥＣコマンド、つまりスピーカ３からの音声出力をミュートするように要求するＨＤＭＩ−ＣＥＣコマンドを送信する（ステップＳ１１１５）。【０１０１】  ステップＳ１１１４で、ＳＴＢ４からアンプ２を介してＨＤＭＩ−ＣＥＣコマンドが送信されると、テレビ１のＨＤＭＩ−ＣＥＣ通信部２０４は、その送信されたコマンドを受信して、マイコン２０３に出力する。テレビ１のマイコン２０３は、そのコマンドを解析し、音声出力のミュートを解除し、スピーカ２０８から音声を出力させる（ステップＳ１１１６）。【０１０２】  ステップＳ１１１５で、ＳＴＢ４のＨＤＭＩ−ＣＥＣ通信部４１０から、スピーカ出力部３０６からの音声信号の出力を抑えるように要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、スピーカ出力部３０６からの音声信号の出力を抑える、つまりスピーカ３からの音声出力をミュートする（ステップＳ１１１７）。【０１０３】  以上のステップＳ１１１４〜Ｓ１１１７の処理により、本実施の形態の機器連携装置１００は、テレビモードとして音声を出力する。【０１０４】  以上の処理により、本実施の形態の機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信した番組情報のジャンル情報に応じて、モード対応表４１４ａに従い、自動的に切り替えることができる。結果、映画などを臨場感のある音声で簡単に視聴することができる。言い換えれば、本実施の形態の機器連携装置１００では、ＳＴＢ４が受信した番組情報から視聴中番組のジャンル情報を抽出し、抽出したジャンル情報に適切な音声出力モードの変更を、ＨＤＭＩ−ＣＥＣコマンドを用いて行うことにより、ジャンルに対応する適切な音声出力モードの変更を、自動的に行うことができる。【０１０５】  なお、図１２で説明した処理の順序は一例であり、実質的に等価な動作が行われれば処理の順序が異なっていても良いことは言うまでもない。また、機器制御部４１３は、接続環境を予め調べ、テレビモードとシアターモードとの切り替えが実施できない環境である場合には、図１２の処理は行わないよう動作してもよい。切り替えができない接続環境とは、所定の機器連携動作を実現するための機器がＨＤＭＩ接続されていないような環境、例えば、アンプ２がＳＴＢ４にＨＤＭＩ接続されておらず、ＳＴＢ４とテレビ１のみが接続されているような環境である。【０１０６】  （変形例１）
次に、本発明の実施の形態における第１の変形例について説明する。【０１０７】  上記実施の形態では、番組のジャンル情報に基づいて音声出力モードを切り換えたが、本変形例では、チャンネル情報に基づいて音声出力モードを切り換える。つまり、本変形例に係る機器連携装置１００は、ＳＴＢ４で受信されてテレビ１で再生されている番組のチャンネル情報に基づいて、その番組の音声出力モードを、その番組に最適なモード、つまり、テレビモードとシアターモードのいずれかに切り換える。【０１０８】  本変形例における、ＳＴＢ４の対応表格納部４１４は、チャンネル識別子で指定されるチャンネル番号と、そのチャンネル番号（チャンネル識別子）に対応する音声出力モードの対応関係を定義したモード対応表を記憶している。【０１０９】  図１３は、本変形例に係る対応表格納部４１４に格納されているモード対応表の一例を示す図である。【０１１０】  本変形例に係る対応表格納部４１４は、図１３に示すモード対応表４１４ｂを格納している。この例では、チャンネル識別子と音声出力モードの対応関係が表形式で格納されている。列１２１１はチャンネル識別子、列１２１２は放送局名、列１２１３は音声出力モードを表している。なお、図１３中、テレビはテレビモードを示し、シアターはシアターモードを示す。列１２１３の音声出力モードには、少なくとも「テレビ（テレビモード）」か「シアター（シアターモード）」が設定される。行１２０１〜１２０３の各行は、それぞれ、チャンネル識別子と放送局名と音声出力モードの対応関係を表す組になっている。例えば、行１２０１は、チャンネル識別子「１」と、放送局名「チャンネル１」と、音声出力モード「テレビモード」とを示す組となっている。【０１１１】  本変形例では、このようなチャンネル識別子と音声出力モードの対応関係、つまりモード対応表４１４ｂは、予め所定の内容が初期値として含まれるように作成されて対応表格納部４１４に格納されている。なお、ユーザがＳＴＢ４を操作することにより、モード対応表４１４ａの内容を所望の内容に変更できるように、ＳＴＢ４を構成してもよい。また、放送波に多重されたデータなどを用いてモード対応表４１４ｂの内容を更新できるように、ＳＴＢ４を構成していてもよい。このような変更や更新の方法は、従来の技術により容易に実現可能であるので、詳細な説明を省略する。【０１１２】  次に、本変形例の処理の流れを、図１４を用いて説明する。【０１１３】  図１４は、本変形例におけるホームシアターシステムの動作を示すフローチャートである。なお、図１４において、図１２と同じ処理には同じ記号を付して説明を省略する。【０１１４】  まず、機器制御部４１３の属性取得部４１３ａは、再生（視聴）中の番組のチャンネルを示すチャンネル番号（チャンネル識別子）を検出する。例えば、機器制御部４１３の属性取得部４１３ａは、図９に示すチャンネル情報テーブルの中から、受信中の番組のチャンネルを示すチャンネル番号を特定する。例えば、機器制御部４１３の属性取得部４１３ａはチャンネル番号「１」を特定する（ステップＳ１３０１）。【０１１５】  ステップＳ１３０１で、視聴中のチャンネル番号が特定されると、機器制御部４１３のモード特定部４１３ｂは、図１３に示すモード対応表４１４ｂを参照し、その視聴中のチャンネル番号（チャンネル識別子）に対応する音声出力モードが「テレビモード」であるか「シアターモード」であるかを特定する。例えば、特定されたチャンネル番号が「１」である場合、機器制御部４１３のモード特定部４１３ｂは、図１３に示したモード対応表４１４ｂを参照して、チャンネル番号「１」に対応する音声出力モードとして「テレビモード」を特定する（ステップＳ１３０２）。また、特定されたチャンネル番号が「３」である場合には、機器制御部４１３のモード特定部４１３ｂは、図１３に示したモード対応表４１４ｂを参照して、チャンネル番号「３」に対応する音声出力モードとして「シアターモード」を特定する。【０１１６】  以後、機器制御部４１３は、ステップＳ１３０２で特定された音声出力モードが「シアターモード」であるか「テレビモード」であるかに応じて、上記実施の形態と同様の動作を行う。つまり、本変形例に係るホームシアターシステムは、ステップＳ１３０２以降、上記実施の形態のステップＳ１１０３〜Ｓ１１１７の動作を行う。【０１１７】  なお、図１４で説明した処理の順序は一例であり、実質的に等価な動作が行われれば処理の順序が異なっても良いことは言うまでもない。【０１１８】  以上の処理により、本変形例に係る機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信したチャンネル番号に応じて、モード対応表４１４ｂに従い、自動的に切り替えることができる。結果、ケーブルテレビの放送サービスやデジタル放送サービスなどで提供される映画専門チャンネルなどを視聴する際、チャンネルを選局するだけで、自動的にマルチチャンネルのスピーカから音声を出力させることができ、映画を臨場感のある音声で簡単に視聴することができる。言い換えれば、本変形例に係る機器連携装置１００では、ＳＴＢ４が受信した番組情報から視聴中のチャンネル番号を抽出し、抽出したチャンネル番号に適切な音声出力モードの変更を、ＨＤＭＩ−ＣＥＣコマンドを用いて行うことにより、チャンネル番号に対応する適切な音声出力モードの変更を、自動的に行うことができる。【０１１９】  （変形例２）
次に、本発明の実施の形態における第２の変形例について説明する。【０１２０】  上記実施の形態の番組情報表示データには、図８に示すように音声出力モードが含められていなかったが、本変形例に係る番組情報表示データには、音声出力モードが含められている。つまり、本変形例では、ＥＰＧデータとして送られてくる番組情報表示データに付随する番組情報の中に、その番組に応じた最適な音声出力モードが指定されており、機器連携装置１００は、番組の音声出力モードを、その指定された最適なモード、つまりテレビモードとシアターモードのいずれかに切り換える。【０１２１】  図１５は、本変形例に係る第２メモリ４０３に記憶されている番組情報表示データの一例を示す図である。【０１２２】  この図１５に示す番組情報表示データは、図８に示す番組情報表示データには含まれていない列７２１を有する。列７２１は各番組の最適な音声出力モードを表しており、テレビモードおよびシアターモードをそれぞれ「テレビ」および「シアター」と表記している。このような番組情報表示データは、行７１１に対応する番組にはテレビモードでの視聴が適しており、行７１２〜７１４に対応する番組にはシアターモードでの視聴が適していることを示している。ここで、各番組の音声出力モードは、番組ごとに付随する番組情報の一部として放送され、多重分離部４０５を通じて第２メモリ４０３に格納される。【０１２３】  また、本変形例の機器連携装置１００は、モード対応表４１４ａ，４１４ｂを格納する対応表格納部４１４を備えていない。【０１２４】  次に、本変形例の処理の流れを、図１６を用いて説明する。【０１２５】  図１６は、本変形例におけるホームシアターシステムの動作を示すフローチャートである。なお、図１６において、図１２と同じ処理には同じ記号を付して説明を省略する。【０１２６】  まず、機器制御部４１３は、受信した番組の番組情報から、その番組の音声出力モードを取得する。例えば、機器制御部４１３のモード特定部４１３ｂは、図１５に示す番組情報表示データの中から、受信した番組の番組情報に含まれる音声出力モードを特定する（ステップＳ１１４１）。例えば、機器制御部４１３のモード特定部４１３ｂは、現在時刻が１１：００であり、再生されている番組のチャンネル識別子が「１」である場合、音声出力モードとして「シアター」を検出する。【０１２７】  以後、機器制御部４１３は、ステップＳ１１４１で得られた音声出力モードが「シアターモード」であるか「テレビモード」であるかに応じて、上記実施の形態と同様の動作を行う。つまり、本変形例に係るホームシアターシステムは、ステップＳ１１４１以降、上記実施の形態のステップＳ１１０３〜Ｓ１１１７の動作を行う。なお、図１６で説明した処理の順序は一例であり、実質的に等価な動作が行われれば処理の順序が異なっても良いことは言うまでもない。【０１２８】  以上の処理により、本変形例に係る機器連携装置１００では、テレビ１のスピーカ２０８から音声を出力するのか、アンプ２に接続されたスピーカ３から音声を出力するのかを、ユーザが都度、操作する必要がない。つまり、本変形例に係る機器連携装置１００では、ＳＴＢ４が受信した番組情報表示データ（ＥＰＧデータ）に含まれる番組情報から、番組毎に推奨される音声出力モードを取得し、その推奨される音声出力モードに自動的に切り替えることができる。【０１２９】  例えば、番組のジャンル情報が「ドラマ」である場合、一般に、その番組の適切な音声出力モードはテレビモードである。しかし、番組のジャンル情報が「ドラマ」であっても、シアターモードの方が適切で、臨場感をもってその番組を視聴できる場合がある。このような場合、放送サービスの提供者の意図に応じて、番組毎にきめ細かく音声出力モードを指定でき、かつ、視聴者はわざわざシアターモードで音声出力するためにわずらわしい操作をしなくても、自動的にマルチチャンネルのスピーカから音声を出力させることができる。【０１３０】  （変形例３）
次に、本発明の実施の形態における第３の変形例について説明する。【０１３１】  上記実施の形態では、ジャンル情報に応じて音声出力モードを切り換えたが、本変形例では、音声出力モードだけでなく画質および音場を切り換える。つまり、本変形例に係るテレビ１は、画質および音場の調整機能を有し、本変形例に係るアンプ２は音場制御機能を有している。そして、本変形例に係る機器制御部４１３は、上述の画質および音場の設定を切り換える機能を有する。なお、音場には音質が含まれ、その音場は、反射音や残響音の大きさや、残響時間、周波数特性などを示す。【０１３２】  テレビ１は、ディスプレイ２０７の画質、例えば、明るさ、コントラスト、色合いなどを、調整できるように構成されている。このような画質調整は、ＨＤＭＩ−ＣＥＣ通信部２０４で受信されたＨＤＭＩ−ＣＥＣコマンドに応じたマイコン２０３からの指示により行われる。ここで、画質調整は、例えば、予めセットされた複数の画質モードから選択することで簡単に設定される。また、テレビ１は、スピーカ２０８から出力される音声の音場を制御できるように構成されている。このような音場の制御は、ＨＤＭＩ−ＣＥＣ通信部２０４で受信されたＨＤＭＩ−ＣＥＣコマンドに応じたマイコン２０３からの指示により行われる。ここで、音場の制御は、例えば、予めセットされた複数の音場モードから選択することで簡単に設定される。【０１３３】  アンプ２は、スピーカ出力部３０６から出力される音声の音場を制御できるように構成されている。このような音場の制御は、ＨＤＭＩ−ＣＥＣ通信部３０３で受信されたＨＤＭＩ−ＣＥＣコマンドに応じたマイコン３０２からの指示により行われる。ここで、音場の制御は、例えば、予めセットされた複数の音場モードから選択することで簡単に設定される。また、音場の制御は、より具体的には、反射音の大きさ、数、残響音の大きさ、残響時間などの残響特性パラメータと、周波数特性パラメータとに基づいた音声信号処理を行うものであり、従来の技術により実現可能である。また、映像表示の画質調整は、従来の技術で容易に実現できるので、ここでは詳細な説明を省略する。【０１３４】  図１７は、本変形例に係る対応表格納部４１４に格納されているモード対応表の一例を示す図である。【０１３５】  この図１７に示すモード対応表４１４ｃは、図１１で説明した上記実施の形態のモード対応表４１４ａに含まれていない、列１５０１および列１５０２を有する。列１５０１は、列１０１１に格納されたジャンル情報に対応する音場モードを表している。例えば、音場モードには、「音場Ａ」、「音場Ｂ」、「音場Ｃ」、および「音場Ｄ」の何れかが設定されている。列１５０２は、列１０１１に格納されたジャンル情報に対応する画質モードを表している。例えば、画質モードには、「画質Ａ」、「画質Ｂ」、「画質Ｃ」、および「画質Ｄ」の何れかがが設定されている。このようなモード対応表４１４ｃは、各ジャンルの番組に対して、列１０１２、列１５０１、および列１５０２にそれぞれ格納された音声出力モード、音場モード、および画質モードが視聴に適していることを意味している。【０１３６】  このようなモード対応表４１４ｃは、予め所定の内容が初期値として含まれるように作成されて対応表格納部４１４に格納されている。なお、ユーザがＳＴＢ４を操作することにより、モード対応表４１４ｃの内容を所望の内容に変更できるように、ＳＴＢ４を構成してもよい。また、放送波に多重されたデータなどを用いてモード対応表４１４ｃの内容を更新できるように、ＳＴＢ４を構成してもよい。このような変更や更新の方法は、従来の技術により容易に実現可能であるので、詳細な説明を省略する。【０１３７】  次に、実施の形態４の処理の流れを、図１８を用いて説明する。【０１３８】  図１８は、本変形例に係るホームシアターシステムの動作を示すフローチャートである。なお、図１２で説明した上記実施の形態の処理と同じ処理には同じ番号を付し、重複した説明を省略する。【０１３９】  まず、機器制御部４１３は、受信した番組の番組情報から、ジャンル情報を抽出する。例えば、機器制御部４１３の属性取得部４１３ａは、図８に示す番組情報表示データの中から、受信した番組の番組情報に含まれるジャンル情報を抽出する。例えば、機器制御部４１３の属性取得部４１３ａは、時刻１１時に再生されている番組のチャンネル識別子が「１」である場合、ジャンル情報として「映画」を抽出する（ステップＳ１１０１）。【０１４０】  ステップＳ１１０１で、ジャンル情報が抽出されると、機器制御部４１３のモード特定部４１３ｂは、図１７で説明したモード対応表４１４ｃを参照し、抽出されたジャンル情報に対応する音声出力モードが「テレビモード」であるか「シアターモード」であるかを特定する。さらに、機器制御部４１３のモード特定部４１３ｂは、そのジャンル情報に対応する音場モードおよび画質モードを特定する。例えば、ステップＳ１１０１で得られたジャンル情報が「映画」である場合、機器制御部４１３のモード特定部４１３ｂは、図１７に示したモード対応表４１４ｃを参照して、「映画」に対応する音声出力モードとして「シアターモード」を特定し、音場モードとして「音場Ｃ」を特定し、画質モードとして「画質Ｃ」を特定する。また、ステップＳ１１０１で得られたジャンル情報が「ニュース」である場合には、機器制御部４１３のモード特定部４１３ｂは、音声出力モードとして「テレビモード」を特定し、音場モードとして「音場Ａ」を特定し、画質モードとして「画質Ａ」を特定する（ステップＳ１６０１）。【０１４１】  以後、機器制御部４１３は、ステップＳ１６０１で特定された音声出力モードが「シアターモード」であるか「テレビモード」であるかに応じて、上記実施の形態の図１２に示す動作と同様の動作を行うとともに、さらに、ステップＳ１６０２、ステップＳ１６１２、およびステップＳ１６２１の動作を行う。つまり、本変形例に係るホームシアターシステムは、ステップＳ１６０１以降、上記実施の形態のステップＳ１１０３〜Ｓ１１１７の動作を行うとともに、ステップＳ１６０２、ステップＳ１６０３、ステップＳ１６１２、ステップＳ１６１３、ステップＳ１６２１、およびステップＳ１６２２の動作を行う。【０１４２】  機器制御部４１３の連携実行部４１３ｃは、ステップＳ１１０３において、音声出力モードが「シアターモード」であると判断した場合、音場モードを、ステップＳ１６０１で特定した音場モード（例えば、映画モード）に設定するように指示するＨＤＭＩ−ＣＥＣコマンドをアンプ２に対して送信する（ステップＳ１６０２）。次に、アンプ２のＨＤＭＩ−ＣＥＣ通信部３０３は、そのＨＤＭＩ−ＣＥＣコマンドを受信するとマイコン３０２に出力する。アンプ２のマイコン３０２は、そのコマンドを解析し、スピーカ出力部３０６から出力される音声信号の音場をそのコマンドに応じて制御する（ステップＳ１６０３）。これにより、音場モードが切り換えられる。【０１４３】  一方、機器制御部４１３の連携実行部４１３ｃは、ステップＳ１１０３において、音声出力モードが「テレビモード」であると判断した場合、音場モードを、ステップＳ１６０１で特定した音場モード（例えば、映画モード）に設定するように指示するＨＤＭＩ−ＣＥＣコマンドをテレビ１に対して送信する（ステップＳ１６１２）。次に、テレビ１のＨＤＭＩ−ＣＥＣ通信部２０４は、そのＨＤＭＩ−ＣＥＣコマンドを受信するとマイコン２０３に出力する。テレビ１のマイコン２０３は、そのコマンドを解析し、スピーカ２０８から出力される音声の音場をそのコマンドに応じて制御する（ステップＳ１６１３）。これにより、音場モードが切り換えられる。【０１４４】  さらに、機器制御部４１３の連携実行部４１３ｃは、ステップＳ１１０３における音声出力モードの判断結果に関わらず、画質モードを、ステップＳ１６０１で特定した画質モード（例えば、シネマモード）に設定するように指示するＨＤＭＩ−ＣＥＣコマンドをテレビ１に対して送信する（ステップＳ１６２１）。次に、テレビ１のＨＤＭＩ−ＣＥＣ通信部２０４は、そのＨＤＭＩ−ＣＥＣコマンドを受信するとマイコン２０３に出力する。テレビ１のマイコン２０３は、そのコマンドを解析し、ディスプレイ２０７で表示される画像の画質をそのコマンドに応じて調整する（ステップＳ１６２２）。これにより、画質モードが切り換えられる。【０１４５】  なお、図１８で説明した処理の順序は一例であり、実質的に等価な動作が行われれば処理の順序が異なっても良いことは言うまでもない。【０１４６】  以上の処理により、本変形例の機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信した番組情報のジャンル情報に応じて、モード対応表４１４ｃに従い、自動的に切り替えることができる。さらに、本変形例の機器連携装置１００では、番組のジャンルに応じて、その番組の画質と音場を、最適な画質と音場に自動的に調整することができる。結果、テレビ１およびアンプ２に対して、それぞれ個別に煩わしい設定をすることなく、映画などを臨場感のある画質および音声で簡単に視聴することができる。【０１４７】  なお、本変形例のモード対応表４１４ｃでは、ジャンル情報ごとに、そのジャンル情報と音声出力モードと画質モードと音場モードとを対応付けたが、変形例１と同様に、チャンネル識別子ごとに、そのチャンネル識別子と音声出力モードと画質モードと音場モードとを対応付けても良い。また、モード対応表４１４ｃを有することなく、変形��２と同様に、番組情報表示データ（ＥＰＧデータ）の各番組情報に、音声出力モードと画質モードと音場モードとを含めてもよい。【０１４８】  （変形例４）
次に、本発明の実施の形態における第４の変形例について説明する。【０１４９】  上記実施の形態では、アンプ２の電源をオン／オフすることなく、アンプ２に接続されたスピーカ３からの音声出力を制御したが、本変形例では、アンプ２の電源をオン／オフすることにより、アンプ２に接続されたスピーカ３からの音声出力を制御する。つまり、本変形例に係る機器連携装置１００は、アンプ２に接続されたスピーカ３から音声を出力させないときには、アンプ２の電源をＯＦＦさせる。【０１５０】  図１９は、本変形例に係るホームシアターシステムの動作を示すフローチャートである。なお、図１２で説明した上記実施の形態の処理と同じ処理には同じ番号を付し、重複した説明を省略する。つまり、本変形例に係るホームシアターシステムでは、図１５に示すステップＳ１７１１、ステップＳ１７１２、ステップＳ１７２１、およびステップＳ１７２２の処理以外、図１２で説明した処理と同じ処理が行われる。【０１５１】  機器制御部４１３の連携実行部４１３ｃは、ステップＳ１１０３で音声出力モードがシアターモードであると判断すると（ステップＳ１１０３のシアターモード）、ＨＤＭＩ−ＣＥＣ通信部４１０を介してアンプ２に対して、アンプ２の電源をＯＮするように要求するＨＤＭＩ−ＣＥＣコマンドを送信する（ステップＳ１７１１）。【０１５２】  ステップＳ１７１１で、ＳＴＢ４のＨＤＭＩ−ＣＥＣ通信部４１０から、電源ＯＮを要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、アンプ２全体の電源をＯＮにする（ステップＳ１７１２）。なお、マイコン３０２は、既に電源がＯＮの状態である場合には、何もしない。そして、ホームシアターシステムは、図１２で説明したステップＳ１１０４〜Ｓ１１０７の処理を行なうことにより、アンプ２に接続されたスピーカ３から音声を出力させ、テレビ１からの音声出力をミュートさせる。【０１５３】  一方、機器制御部４１３の連携実行部４１３ｃは、ステップＳ１１０３で音声出力モードがテレビモードであると判断すると（ステップＳ１１０３のテレビモード）、ＨＤＭＩ−ＣＥＣ通信部４１０を介して、アンプ２に対して、アンプ２の電源をＯＦＦするように要求するＨＤＭＩ−ＣＥＣコマンドを送信する（ステップＳ１７２１）。【０１５４】  ステップＳ１７２１で、ＳＴＢ４のＨＤＭＩ−ＣＥＣ通信部４１０から、電源ＯＦＦを要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、アンプ２のマイコン３０２を除く電源をＯＦＦにする（ステップＳ１７２２）。なお、マイコン３０２は、既に電源がＯＦＦの状態である場合には、何もしない。そして、ホームシアターシステムは、図１２で説明したステップＳ１１１４およびステップＳ１１１６の処理を行なうことにより、アンプ２に接続されたスピーカ３からの音声出力を停止させ、代わりにテレビ１から音声を出力させる。【０１５５】  以上の処理により、本変形例に係る機器連携装置１００は、放送番組がモノラル音声の番組である場合など、所定の条件に基づき、アンプ２のスピーカ出力部３０６から音声信号を出力しないと判断したときには、アンプ２の電源を自動的にＯＦＦするように動作する。その結果、本変形例では、アンプ２を使用して音声を出力する必要のないときに、ユーザがわざわざアンプ２を操作してそのアンプ２の電源をＯＦＦしなければならないという煩わしい操作を省くことができる。さらに、本変形例では、ユーザがアンプ２の電源をＯＦＦにするのを忘れて、無駄な電力消費を削減することができる。したがって、本変形例に係る機器連携装置１００では、使い勝手を向上することができる。【０１５６】  以上、本発明に係る機器連携装置１００について、実施の形態および変形例を用いて説明したが、本発明は、これらに限定されるものではない。【０１５７】  例えば、機器連携装置１００は、テレビモードとシアターモードの何れかをユーザに選択させてもよい。つまり、ユーザがＳＴＢ４のチャンネルを変更するときに、頻繁にテレビモードとシアターモードの切り替えが発生すると、ユーザが不快になる可能性もある。このような場合、利き連携装置は、ユーザにテレビモードとシアターモードの何れかを選択させる。【０１５８】  具体的に、ＳＴＢ４の機器制御部４１３は、ＨＤＭＩ−ＣＥＣ通信部４１０からＨＤＭＩ−ＣＥＣコマンドを送信させることにより、ホームシアターシステムを構成するためのテレビ１とアンプ２の両方がＳＴＢ４に接続されているかどうかを判断する。そして、機器制御部４１３は、両方が接続されていると判断し、番組に適した音声出力モードとしてシアターモードを特定すると、音声出力モードを直ぐにシアターモードに切り換えることなく、テレビ１のディスプレイ２０７にシアターモードへの変更を促すメッセージを表示させる。【０１５９】  図２０は、ディスプレイ２０７に表示されるメッセージを示す図である。【０１６０】  例えば、図２０に示すように、機器制御部４１３は、ディスプレイ２０７における番組が表示される領域１８０２に、「シアター」と記されたメッセージ１８０１を表示させる。このメッセージ１８０２は、シアターモードへの変更が可能なことを視聴者に知らせている。ここで、ユーザは、ＳＴＢ用リモコンの図６に示す操作パネル５００のシアターボタン５０８を押すと、音声出力モードをシアターモードに設定することができる。なお、シアターボタン５０８は、ディスプレイ２０７上のグラフィカルユーザインターフェースとして実現することも可能である。【０１６１】  また、機器連携装置１００は、スピーカ３から出力される音声を、モノラル音声や、ステレオ音声、５．１チャンネル音声などの何れの音声にするかをユーザに選択させてもよい。この場合、機器連携装置１００は、選択された音声が出力されるように要求するＨＤＭＩ−ＣＥＣコマンドを、ＨＤＭＩ−ＣＥＣ４１０からアンプ２に出力させる。そして、アンプ２は、そのコマンドにより示される音声をスピーカ３に出力させる。これにより、ユーザは、５．１チャンネル音声で出力されるような番組でも、自らの要望に応じて、モノラル音声やステレオ音声で���の番組を視聴することができ、使い勝手をより向上することができる。【０１６２】  また、本実施の形態および変形例では、テレビ１は、チューナ２０５およびデコーダ２０６を具備したが、これらの構成要素を備えていなくてもよい。【０１６３】  また、本実施の形態および変形例では、ＳＴＢ４がＣＡＴＶやデジタル放送などの放送データを受信したが、テレビ１がＳＴＢ４の代わりに放送データを受信してもよい。この場合、機器制御部４１３および対応表格納部４１４からなる機器連携装置１００はテレビ１に備えられる。そして、テレビ１に備えられた機器連携装置１００が、ジャンル情報やチャンネル識別子を解析し、音声出力モードや画質、音場を変更する。【０１６４】  また、本実施の形態および変形例では、ＳＴＢ４は、ＣＡＴＶやデジタル放送などの放送データを受信したが、さらに、ハードディスクやＤＶＤ（Ｄｉｇｉｔａｌ  Ｖｅｒｓａｔｉｌｅ  Ｄｉｓｋ）等へ放送番組を記録してもよい。【０１６５】  また、本実施の形態および変形例では、機器連携装置１００は、放送された番組のジャンル情報やチャンネル識別子に応じた音声出力モードの変更を実現したが、ハードディスクやＤＶＤ等に記録された番組のジャンル情報やチャンネル識別子、及びその他の属性等を用いて音声出力モードや画質、音場の変更を実現してもよい。【０１６６】  また、本実施の形態および変形例では、機器連携装置１００は、現在の音声出力モードの設定に関わらず、ジャンル情報やチャンネル識別子に対応する音声出力モードへの変更を要求するＨＤＭＩ−ＣＥＣコマンドを送信したが、現在の音声出力モードを確認し、変更が必要な場合にのみ、そのコマンドを送信してもよい。つまり、機器連携装置１００は、ジャンル情報やチャンネル識別子を抽出すると、まず、現在の音声出力モードを確認するためのＨＤＭＩ−ＣＥＣコマンドの送受信処理を行い、その結果、現在の設定から変更する必要のある場合のみ、ジャンル情報やチャンネル識別子に対応する音声出力モードへの変更を要求するＨＤＭＩ−ＣＥＣコマンドを送信する。【０１６７】  また、本実施の形態および変形例では、機器連携装置１００は、音声出力モードの変更を要求するＨＤＭＩ−ＣＥＣコマンドを送信し、再送をしなかったが、再送してもよい。つまり、アンプ２やテレビ１は、ＨＤＭＩ−ＣＥＣコマンドを受信するとそのコマンドを受信したことを通知するコマンドや、音声出力モードを変更したことを通知するコマンドを機器連携装置１００に送信する。そして、機器連携装置１００は、ＨＤＭＩ−ＣＥＣコマンドの送信後予め定めた時間内に、変更したことを通知するコマンドを受信しなかったり、変更できなかったことを通知するコマンドを受信したりすると、再度、ＨＤＭＩ−ＣＥＣコマンドを送信する。【０１６８】  また、本実施の形態および変形例では、ＥＰＧ制御部４１２や機器制御部４１３を、専用のハードウェアで構成したが、ＥＰＧ制御部４１２や機器制御部４１３を、第２メモリ４０３に記憶された、マイコン４１１などのＣＰＵ（Ｃｅｎｔｒａｌ  Ｐｒｏｃｅｓｓｉｎｇ  Ｕｎｉｔ）で実行させるプログラムとして構成してもよい。【０１６９】  また、本実施の形態および変形例における機器連携装���１００、つまり機器制御部４１３および対応表格納部４１４を例えばＬＳＩ（Ｌａｒｇｅ  Ｓｃａｌｅ  Ｉｎｔｅｇｒａｔｉｏｎ）などの半導体集積回路で構成してもよい。【０１７０】  その他、本発明の主旨を変えずして、種々の変更が可能である。
【産業上の利用可能性】
【０１７１】  本発明の機器連携装置は、ユーザによる操作負担を軽減して適切に機器を連携させることができるという効果を奏し、例えば、ＳＴＢなどの放送受信機や、放送受信可能な携帯電話、携帯端末、車載端末、インターネットを介して音声映像データを受信するパーソナルコンピュータ等に適用することができる。
【図１】
2007072791.tif 000003
【図２Ａ】
2007072791.tif 000004
【図２Ｂ】
2007072791.tif 000005
【図３】
2007072791.tif 000006
【図４】
2007072791.tif 000007
【図５Ａ】
2007072791.tif 000008
【図５Ｂ】
2007072791.tif 000009
【図６】
2007072791.tif 000010
【図７Ａ】
2007072791.tif 000011
【図７Ｂ】
2007072791.tif 000012
【図８】
2007072791.tif 000013
【図９】
2007072791.tif 000014
【図１０Ａ】
2007072791.tif 000015
【図１０Ｂ】
2007072791.tif 000016
【図１０Ｃ】
2007072791.tif 000017
【図１１】
2007072791.tif 000018
【図１２】
2007072791.tif 000019
【図１３】
2007072791.tif 000020
【図１４】
2007072791.tif 000021
【図１５】
2007072791.tif 000022
【図１６】
2007072791.tif 000023
【図１７】
2007072791.tif 000024
【図１８】
2007072791.tif 000025
【図１９】
2007072791.tif 000026
【図２０】
2007072791.tif 000027
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
コンテンツの再生に使用される複数の機器の動作を連携させる機器連携装置であって、
コンテンツの属性ごとに、当該属性に対応するモードを示すモード対応表を格納している対応表格納手段と、
再生対象のコンテンツの属性を取得する属性取得手段と、
前記モード対応表に示される複数のモードの中から、前記属性取得手段によって取得された属性に対応するモードを特定するモード特定手段と、
ユーザによる操作によりモードを受け付けるモード受付手段と、
前記複数の機器に対して、ＨＤＭＩ（High Definition Multimedia Interface）−ＣＥＣ（Consumer Electronics Control）に基づくコマンドを送信することにより、前記モード特定手段によって特定されたモード、および前記モード受付手段により受け付けられたモードに従って前記複数の機器の動作を連携させ、前記複数の機器に前記再生対象のコンテンツを再生させる連携実行手段と、
前記複数の機器のそれぞれに設定されている電源の状態と、前記複数の機器が動作している現在のモードと、前記複数の機器が前記連携実行手段により送信された前記コマンドを受信したこととをそれぞれ確認する確認手段とを備え、
前記連携実行手段は、
前記確認手段による確認により、機器の電源がオフに設定されていると判断すると、前記機器に対して前記コマンドを送信することにより前記機器の電源をオンにし、
前記確認手段による確認により、前記複数の機器が動作している現在のモードと、前記モード特定手段により特定されたモードまたは前記モード受付手段により受け付けられたモードとが一致していると判断すると、前記コマンドの送信を禁止し、
機器が前記コマンドを受信したことが前記確認手段により所定期間確認されなかったと判断すると、前記機器に対して前記コマンドを再送する
ことを特徴とする機器連携装置。
【請求項２】
前記複数の機器は、音声を出力する第１および第２の機器を含み、
前記連携実行手段は、
前記モード特定手段によって第１のモードが特定されたときには、前記第２の機器が音声出力を抑えて前記第１の機器が音声を出力するように、前記第１および第２の機器の動作を連携させ、
前記モード特定手段によって第２のモードが特定されたときには、前記第１の機器が音声出力を抑えて前記第２の機器が音声を出力するように、前記第１および第２の機器の動作を連携させる
ことを特徴とする請求項１記載の機器連携装置。
【請求項３】
前記第１の機器は、コンテンツの映像および音声を出力し、
前記連携実行手段は、
前記モード特定手段によって第１のモードが特定されたときには、前記第２の機器が音声出力を抑えて前記第１の機器が映像および音声を出力するように、前記第１および第２の機器の動作を連携させ、
前記モード特定手段によって第２のモードが特定されたときには、前記第１の機器が音声出力を抑えて映像を出力するとともに前記第２の機器が音声を出力するように、前記第１および第２の機器の動作を連携させる
ことを特徴とする請求項２記載の機器連携装置。
【請求項４】
前記連携実行手段は、前記複数の機器から出力される音声の音質を調整するように、前記複数の機器の動作を連携させる
ことを特徴とする請求項３記載の機器連携装置。
【請求項５】
前記連携実行手段は、さらに、前記モード特定手段によって特定されたモードに従って、前記第１の機器によって出力される映像の画質を調整する
ことを特徴とする請求項４記載の機器連携装置。
【請求項６】
前記属性取得手段は、放送されるコンテンツごとに当該コンテンツの属性を示す番組表から、前記再生対象のコンテンツの属性を取得する
ことを特徴とする請求項１記載の機器連携装置。
【請求項７】
前記属性は、放送されるコンテンツのジャンルまたはチャンネルである
ことを特徴とする請求項１記載の機器連携装置。
【請求項８】
コンテンツの再生に使用される複数の機器の動作を連携させる機器連携方法であって、
再生対象のコンテンツの属性を取得する属性取得ステップと、
コンテンツの属性ごとに、当該属性に対応するモードを示すモード対応表から、前記属性取得ステップで取得された属性に対応するモードを特定するモード特定ステップと、
ユーザによる操作によりモードを受け付けるモード受付ステップと、
前記複数の機器に対して、ＨＤＭＩ（High Definition Multimedia Interface）−ＣＥＣ（Consumer Electronics Control）に基づくコマンドを送信することにより、前記モード特定ステップで特定されたモード、および前記モード受付ステップにより受け付けられたモードに従って前記複数の機器の動作を連携させ、前記複数の機器に前記再生対象のコンテンツを再生させる連携実行ステップと、
前記複数の機器のそれぞれに設定されている電源の状態と、前記複数の機器が動作している現在のモードと、前記複数の機器が前記連携実行ステップにより送信された前記コマンドを受信したこととをそれぞれ確認する確認ステップとを含み、
前記連携実行ステップでは、
前記確認ステップでの確認により、機器の電源がオフに設定されていると判断すると、前記機器に対して前記コマンドを送信することにより前記機器の電源をオンにし、
前記確認ステップでの確認により、前記複数の機器が動作している現在のモードと、前記モード特定ステップで特定されたモードまたは前記モード受付ステップで受け付けられたモードとが一致していると判断すると、前記コマンドの送信を禁止し、
機器が前記コマンドを受信したことが前記確認ステップで所定期間確認されなかったと判断すると、前記機器に対して前記コマンドを再送する
ことを特徴とする機器連携方法。
【請求項９】
コンテンツの再生に使用される複数の機器の動作を連携させるためのプログラムであって、
再生対象のコンテンツの属性を取得する属性取得ステップと、
コンテンツの属性ごとに、当該属性に対応するモードを示すモード対応表から、前記属性取得ステップで取得された属性に対応するモードを特定するモード特定ステップと、
ユーザによる操作によりモードを受け付けるモード受付ステップと、
前記複数の機器に対して、ＨＤＭＩ（High Definition Multimedia Interface）−ＣＥＣ（Consumer Electronics Control）に基づくコマンドを送信することにより、前記モード特定ステップで特定されたモード、および前記モード受付ステップにより受け付けられたモードに従って前記複数の機器の動作を連携させ、前記複数の機器に前記再生対象のコンテンツを再生させる連携実行ステップと、
前記複数の機器のそれぞれに設定されている電源の状態と、前記複数の機器が動作している現在のモードと、前記複数の機器が前記連携実行ステップにより送信された前記コマンドを受信したこととをそれぞれ確認する確認ステップとをコンピュータに実行させ、
前記連携実行ステップでは、
前記確認ステップでの確認により、機器の電源がオフに設定されていると判断すると、前記機器に対して前記コマンドを送信することにより前記機器の電源をオンにし、
前記確認ステップでの確認により、前記複数の機器が動作している現在のモードと、前記モード特定ステップで特定されたモードまたは前記モード受付ステップで受け付けられたモードとが一致していると判断すると、前記コマンドの送信を禁止し、
機器が前記コマンドを受信したことが前記確認ステップで所定期間確認されなかったと判断すると、前記機器に対して前記コマンドを再送する
ことを特徴とするプログラム。
【請求項１０】
コンテンツの再生に使用される複数の機器の動作を連携させる集積回路であって、
コンテンツの属性ごとに、当該属性に対応するモードを示すモード対応表を格納している対応表格納手段と、
再生対象のコンテンツの属性を取得する属性取得手段と、
前記モード対応表に示される複数のモードの中から、前記属性取得手段によって取得された属性に対応するモードを特定するモード特定手段と、
ユーザによる操作によりモードを受け付けるモード受付手段と、
前記複数の機器に対して、ＨＤＭＩ（High Definition Multimedia Interface）−ＣＥＣ（Consumer Electronics Control）に基づくコマンドを送信することにより、前記モード特定手段によって特定されたモード、および前記モード受付手段により受け付けられたモードに従って前記複数の機器の動作を連携させ、前記複数の機器に前記再生対象のコンテンツを再生させる連携実行手段と、
前記複数の機器のそれぞれに設定されている電源の状態と、前記複数の機器が動作している現在のモードと、前記複数の機器が前記連携実行手段により送信された前記コマンドを受信したこととをそれぞれ確認する確認手段とを備え、
前記連携実行手段は、
前記確認手段による確認により、機器の電源がオフに設定されていると判断すると、前記機器に対して前記コマンドを送信することにより前記機器の電源をオンにし、
前記確認手段による確認により、前記複数の機器が動作している現在のモードと、前記モード特定手段により特定されたモードまたは前記モード受付手段により受け付けられたモードとが一致していると判断すると、前記コマンドの送信を禁止し、
機器が前記コマンドを受信したことが前記確認手段により所定期間確認されなかったと判断すると、前記機器に対して前記コマンドを再送する
ことを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、例えばテレビやアンプなどの機器の連携を制御する機器連携装置に関する。
【背景技術】
【０００２】
近年、デジタル放送あるいはケーブルテレビ（以下、ＣＡＴＶという）放送を受信するセットトップボックス（以下、ＳＴＢという）、テレビ、アンプ、スピーカ、およびＤＶＤ（Digital Versatile Disk）プレーヤを組み合わせたホームシアターシステムが家庭に本格普及しつつある。これらの機器は、それぞれに対してリモコンを用いて設定を行うことにより、マルチチャンネル音声、例えば５．１チャンネル音声の再生を実現することができる（例えば、非特許文献１参照）。
【０００３】
また、アンプの電源スイッチのオン／オフ操作に連動して、音声をテレビ受信装置だけから出力するか、アンプに接続されているスピーカからも出力するかを切り換える技術（機器連携装置）が提案されている（例えば、特許文献１参照）。
【０００４】
例えば、上記特許文献１の機器連携装置は、テレビ受信装置と組み合わせてサラウンドシステムを構成することが可能なＡＶアンプに備えられている。つまり、上記特許文献１の機器連携装置は、サラウンドシステムの利用と、テレビ受信装置単独の利用との切り換えを行なうことができる。
【０００５】
図１は、上記特許文献１のＡＶアンプのブロック図を示す。
【０００６】
このようなＡＶアンプ４０の機器連携装置は、サラウンドシステムの利用時に、ＡＶアンプ４０の電源スイッチ４１がオンにされると、切り換えスイッチ５０をセンタ音声増幅回路４８側に切り換える。その結果、ＡＶアンプ４０に接続された例えばＶＴＲ（Video Tape Recorder）やＬＤ（Laser Disc）などの再生機器、またはテレビ受信装置から音声入力端子４３に供給されている音声信号がＤＳＰ４５を介して音声出力端子４９を経て周囲のスピーカに供給される。また、このようなＡＶアンプ４０の機器連携装置は、テレビ受信装置単独での利用時に、ＡＶアンプ４０の電源スイッチ４１がオフにされると、切り替えスイッチ５０をテレビ音声入力端子５１側に切り換える。その結果、テレビ受信装置の増幅回路で処理されたテレビ音声が、ＡＶアンプ４０を介してテレビ受信装置のスピーカに供給される。
【非特許文献１】Ｈｉｇｈ  Ｄｅｆｉｎｉｔｉｏｎ  Ｍｕｌｔｉｍｅｄｉａ  Ｉｎｔｅｒｆａｃｅ  ｓｐｅｃｉｆｉｃａｔｉｏｎ  Ｖｅｒｓｉｏｎ  １．２
【特許文献１】特開平５−１５３５２０号公報
【発明の開示】
【発明が解決しようとする課題】
【０００７】
しかしながら、上記特許文献１の機器連携装置では、サラウンドシステムの使用および不使用を切り換えるために、わざわざＡＶアンプの電源を操作しなければならないという問題がある。つまり、ユーザは、ＡＶアンプ４０に接続されたスピーカに音声を出力させるときには、ＡＶアンプ４０の電源をオンにしなければならず、そのスピーカ以外のテレビ受信装置に備えられたスピーカに音声を出力させるときには、ＡＶアンプ４０の電源をオフにしなければならない。
【０００８】
そこで、本発明は、かかる問題に鑑みてなされたものであって、ユーザによる操作負担を軽減して適切に機器を連携させる機器連携装置を提供することを目的とする。
【課題を解決するための手段】
【０００９】
上記目的を達成するために、本発明に係る機器連携装置は、コンテンツの再生に使用される複数の機器の動作を連携させる機器連携装置であって、コンテンツの属性ごとに、当該属性に対応するモードを示すモード対応表を格納している対応表格納手段と、再生対象のコンテンツの属性を取得する属性取得手段と、前記モード対応表に示される複数のモードの中から、前記属性取得手段によって取得された属性に対応するモードを特定するモード特定手段と、ユーザによる操作によりモードを受け付けるモード受付手段と、前記複数の機器に対して、ＨＤＭＩ（High Definition Multimedia Interface）−ＣＥＣ（Consumer Electronics Control）に基づくコマンドを送信することにより、前記モード特定手段によって特定されたモード、および前記モード受付手段により受け付けられたモードに従って前記複数の機器の動作を連携させ、前記複数の機器に前記再生対象のコンテンツを再生させる連携実行手段と、前記複数の機器のそれぞれに設定されている電源の状態と、前記複数の機器が動作している現在のモードと、前記複数の機器が前記連携実行手段により送信された前記コマンドを受信したこととをそれぞれ確認する確認手段とを備え、前記連携実行手段は、前記確認手段による確認により、機器の電源がオフに設定されていると判断すると、前記機器に対して前記コマンドを送信することにより前記機器の電源をオンにし、前記確認手段による確認により、前記複数の機器が動作している現在のモードと、前記モード特定手段により特定されたモードまたは前記モード受付手段により受け付けられたモードとが一致していると判断すると、前記コマンドの送信を禁止し、機器が前記コマンドを受信したことが前記確認手段により所定期間確認されなかったと判断すると、前記機器に対して前記コマンドを再送することを特徴とする。
また、上記目的を達成するために、本発明に係る機器連携装置は、コンテンツの再生に使用される複数の機器の動作を連携させる機器連携装置であって、コンテンツの属性ごとに、当該属性に対応するモードを示すモード対応表を格納している対応表格納手段と、再生対象のコンテンツの属性を取得する属性取得手段と、前記モード対応表に示される複数のモードの中から、前記属性取得手段によって取得された属性に対応するモードを特定するモード特定手段と、前記モード特定手段によって特定されたモードに従って前記複数の機器の動作を連携させることにより、前記複数の機器に前記再生対象のコンテンツを再生させる連携実行手段とを備えることを特徴とする。例えば、前記複数の機器は、音声を出力する第１および第２の機器を含み、前記連携実行手段は、前記モード特定手段によって第１のモードが特定されたときには、前記第２の機器が音声出力を抑えて前記第１の機器が音声を出力するように、前記第１および第２の機器の動作を連携させ、前記モード特定手段によって第２のモードが特定されたときには、前記第１の機器が音声出力を抑えて前記第２の機器が音声を出力するように、前記第１および第２の機器の動作を連携させる。
【００１０】
これにより、再生対象のコンテンツの属性に対応するモードが特定されて、そのモードに従って複数の機器の動作が連携するため、ユーザは、各機器に対する設定操作をわざわざ行うことなく、その再生対象のコンテンツを複数の機器を用いて適切に再生することができる。例えば、ユーザは、設定操作を行うことなく、音声を出力する機器を、再生対象のコンテンツの属性に従って切り換えることができる。このように、本発明に係る機器連携装置では、ユーザによる操作負担を軽減して適切に機器を連携させることができる。
【００１１】
また、前記第１の機器は、コンテンツの映像および音声を出力し、前記連携実行手段は、前記モード特定手段によって第１のモードが特定されたときには、前記第２の機器が音声出力を抑えて前記第１の機器が映像および音声を出力するように、前記第１および第２の機器の動作を連携させ、前記モード特定手段によって第２のモードが特定されたときには、前記第１の機器が音声出力を抑えて映像を出力するとともに前記第２の機器が音声を出力するように、前記第１および第２の機器の動作を連携させることを特徴としてもよい。例えば、前記属性は、放送されるコンテンツのジャンルまたはチャンネルである。
【００１２】
例えば、第１の機器がテレビであり、第２の機器がアンプであり、第１のモードがテレビモードであり、第２のモードがシアターモードである。また、モード対応表には、各ジャンルやチャンネルに対して、テレビモードまたはシアターモードが対応付けられており、モード特定手段は、属性取得手段によって取得されたジャンルやチャンネルに対応付けられているモード、即ちテレビモードまたはシアターモードを特定する。そして、連携実行手段は、特定されたモードがテレビモードであれば、アンプによる複数のスピーカからの音声出力を停止させ、テレビから音声を出力させる。一方、連携実行手段は、特定されたモードがシアターモードであれば、テレビからの音声出力を停止させ、アンプによる複数のスピーカから音声を出力させる。その結果、ユーザは、テレビやアンプに対して設定操作を行うことなく、再生対象のコンテンツのジャンルやチャンネルに従って、テレビモードとシアターモードとを簡単に切り換えることができる。
【００１３】
また、前記連携実行手段は、前記複数の機器から出力される音声の音質を調整するように、前記複数の機器の動作を連携させることを特徴としてもよい。
【００１４】
これにより、ユーザは、例えばテレビやアンプなどの機器に対して設定操作を行うことなく、再生対象のコンテンツの属性に応じて音質や音場を適切に切り換えることができる。
【００１５】
また、前記連携実行手段は、さらに、前記モード特定手段によって特定されたモードに従って、前記第１の機器によって出力される映像の画質を調整することを特徴としてもよい。
【００１６】
これにより、ユーザは、例えばテレビなどの機器に対して設定操作を行うことなく、再生対象のコンテンツの属性に応じて画質を適切に切り換えることができる。
【００１７】
なお、本発明は、このような機器連携装置として実現することができるだけでなく、その方法やプログラム、そのプログラムを格納する記憶媒体、集積回路としても実現することができる。
【発明の効果】
【００１８】
本発明の機器連携装置は、ユーザによる操作負担を軽減して適切に機器を連携させることができるという作用効果を奏する。
【発明を実施するための最良の形態】
【００１９】
以下、本発明の実施の形態に係る機器連携装置について、図面を用いて説明する。
【００２０】
図２Ａは、本実施の形態における機器連携装置を含むシステムの構成を示す構成図である。
【００２１】
このシステムは、本実施の形態における機器連携装置Ａと、ｎ個の機器Ｂ１，Ｂ２，…，Ｂｎとから構成されている。この機器連携装置Ａは、ユーザによる操作負担を軽減して適切に機器Ｂ１，Ｂ２，…，Ｂｎの動作を連携させる。つまり、本実施の形態における機器連携装置Ａによる機器Ｂ１，Ｂ２，…，Ｂｎの制御によって、これらの機器Ｂ１，Ｂ２，…，Ｂｎが連携した処理を実行する。
【００２２】
例えば、本実施の形態に係る機器連携装置Ａは、セットトップボックス（以下、ＳＴＢという）に備えられ、ＳＴＢ、テレビ、アンプ、およびスピーカをそれぞれ上述の機器として連携させる。このようなＳＴＢ、テレビ、アンプ、およびスピーカからホームシアターシステムが構成される。
【００２３】
図２Ｂは、本実施の形態に係るホームシアターシステムの構成を示す構成図である。
【００２４】
図２Ｂに示すように、ホームシアターシステムは、テレビ１、アンプ２、スピーカ３、およびＳＴＢ４を備えている。
【００２５】
本実施の形態におけるＳＴＢ４、テレビ１、およびアンプ２は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）コマンドを送受信するＨＤＭＩ−ＣＥＣ通信部を保持し、そのコマンドであるＨＤＭＩ−ＣＥＣメッセージを用いて、例えばシアターモードとテレビモードなどの音声出力モードを、再生されるコンテンツに応じて自動的に切り換える。
【００２６】
なお、ＨＤＭＩ仕様の詳細は、Ｈｉｇｈ  Ｄｅｆｉｎｉｔｉｏｎ  Ｍｕｌｔｉｍｅｄｉａ  Ｉｎｔｅｒｆａｃｅ  ｓｐｅｃｉｆｉｃａｔｉｏｎ  Ｖｅｒｓｉｏｎ  １．２に記載されており、また、ＨＤＭＩ−ＣＥＣ仕様は、同仕様書のＡｐｐｅｎｄｉｘ「ｓｕｐｐｌｅｍｅｎｔａｌ  １  Ｃｏｎｓｕｍｅｒ  Ｅｌｅｃｔｒｏｎｉｃｓ  Ｃｏｎｔｒｏｌ」において規定されている。ＨＤＭＩ規格は、映像／音声の非圧縮デジタルデータを機器間で伝送するための伝送規格であり、伝送にはＨＤＭＩ規格に準拠した一本のケーブルが用いられる。ＨＤＭＩ−ＣＥＣでは、そのケーブル（ＨＤＭＩケーブル）を介して機器間で双方向に機器制御コマンドを伝送するための仕様が規定されている。２００５年１１月現在、ｗｗｗ．ｈｄｍｉ．ｏｒｇからＨＤＭＩ仕様書をダウンロードすることで取得できる。
【００２７】
テレビ１は、ＨＤＭＩ入力端子を保持し、アンプ２とＨＤＭＩケーブルで接続されている。テレビ１は、アンプ２から送られてきた映像・音声を再生することができる。また、テレビ１は、ＨＤＭＩケーブルを通して送られてきたＨＤＭＩ−ＣＥＣコマンドを受け取り、受け取ったコマンドに対応する処理を行うことができる。
【００２８】
アンプ２は、ＨＤＭＩ出力端子およびＨＤＭＩ入力端子を保持し、テレビ１およびＳＴＢ４にＨＤＭＩケーブルで接続されている。また、アンプ２は、スピーカ３とスピーカ用ケーブルで接続されている。アンプ２は、ＳＴＢ４から映像・音声を受け取る。アンプ２は、受け取った映像をテレビ１に送信し、受け取った音声をテレビ１またはスピーカ３に送信する。アンプ２は、ＨＤＭＩケーブルを通して送られてきたＨＤＭＩ−ＣＥＣコマンドを受け取り、コマンドに対応する処理を行うことができる。
【００２９】
スピーカ３は、映画館などでの臨場感のある音響効果を再現するためのマルチチャンネル音声の再生、例えば５．１チャンネル再生を行うスピーカの集合である。スピーカ３は、実際には、６つのスピーカ（図示せず）から構成される。つまり、スピーカ３は、ユーザに対して、正面、右前方、左前方、右後方、および左後方に配置される５つのスピーカと、低音出力用スピーカとで構成される。スピーカ３は、アンプ２から音声信号を受け取り、音声を出力する。
【００３０】
ＳＴＢ４は、テレビ放送の受信・再生を行う。また、ＳＴＢ４は、再生した映像音声を出力するためのＨＤＭＩ出力端子を保持している。
【００３１】
なお、本実施の形態において、音声がアンプ２に接続されているスピーカ３から出力される音声出力モードをシアターモードといい、音声がテレビ４に内蔵されているスピーカから出力される音声出力モードをテレビモードという。
【００３２】
図３は、テレビ１の構成を示す構成図である。
【００３３】
図３に示すように、テレビ１は、メモリ２０１と、リモコン受信部２０２と、マイコン２０３と、ＨＤＭＩ−ＣＥＣ通信部２０４と、チューナ２０５と、デコーダ２０６と、ディスプレイ２０７と、スピーカ２０８とから構成されている。
【００３４】
テレビ１は、ユーザによって直接操作されたり、リモートコントロール装置（図示せず）（以下、テレビ用リモコンという）を用いても操作される。
【００３５】
マイコン２０３は、リモコン受信部２０２がテレビ用リモコンから発信されたコマンドを受信すると、そのコマンドに応じた処理を行い、チューナ２０５の選局切換や、デコーダ２０６の処理を制御する。デコーダ２０６は、チューナ２０５やＨＤＭＩ−ＣＥＣ通信部２０４から入力された映像・音声信号を、マイコン２０３の指示に応じて、ディスプレイ２０７やスピーカ２０８に出力する。また、マイコン２０３は、ＨＤＭＩ−ＣＥＣ通信部２０４から入力されたＨＤＭＩ−ＣＥＣコマンドに応じて、各設定や制御を行う。
【００３６】
また、テレビ１は、本体フロントパネル等に、ボタン等を有する入力部（図示せず）を具備し、この入力部からの入力によって、テレビ用リモコンを用いた操作と同様の操作を受け付ける。
【００３７】
図４は、アンプ２の構成を示す構成図である。
【００３８】
図４に示すように、アンプ２は、ＨＤＭＩ−ＣＥＣ通信部３０１と、マクロコンピュータ（以下、マイコンという）３０２と、ＨＤＭＩ−ＣＥＣ通信部３０３と、セレクター３０４と、外部入力部３０５と、スピーカ出力部３０６と、リモコン受信部３０７とから構成されている。
【００３９】
アンプ２は、ユーザによって直接操作されたり、リモートコントロール装置（図示せず）（以下、アンプ用リモコンという）を用いても操作される。
【００４０】
マイコン３０２は、リモコン受信部３０７がアンプ用リモコンから発信されたコマンドを受信すると、そのコマンドに応じた処理を行う。また、マイコン３０２は、ＨＤＭＩ−ＣＥＣ通信部３０１またはＨＤＭＩ−ＣＥＣ通信部３０３により受信されたＨＤＭＩ−ＣＥＣコマンドに応じた処理を行う。
【００４１】
セレクター３０４は、マイコン３０２からの指示に応じて、ＨＤＭＩ-ＣＥＣ通信部３０３から出力される音声信号と、外部入力部３０５から出力される音声信号とを切り換え、切り換えられた音声信号をスピーカ出力部３０６に出力する。ここで、セレクター３０４は、音声信号のフォーマット（ステレオ音声のフォーマットや、５．１チャンネル音声のフォーマットなど）に応じた態様で、その音声信号をスピーカ３に出力する。
【００４２】
また、アンプ２は、本体フロントパネル等に、ボタン等を有する入力部（図示せず）を具備し、この入力部からの入力によって、アンプ用リモコンを用いた操作と同様の操作を受け付ける。
【００４３】
図５Ａは、本実施の形態に係るＳＴＢ４の構成を示す構成図である。
【００４４】
図５Ａに示すように、ＳＴＢ４は、リモコン受信部４０１と、第１メモリ４０２と、第２メモリ４０３と、受信部４０４と、多重分離部４０５と、デスクランブラ４０６と、ＴＳデコーダ４０７と、映像出力部４０８と、音声出力部４０９と、ＨＤＭＩ−ＣＥＣ通信部４１０と、マイコン４１１と、ＥＰＧ制御部４１２と、機器制御部４１３と、対応表格納部４１４とから構成されている。
【００４５】
本実施の形態では、機器制御部４１３と対応表格納部４１４とから、番組の再生に使用されるアンプ２やテレビ１の動作を連携させる機器連携装置１００が構成されている。
【００４６】
ＳＴＢ４は、ユーザによって直接操作されたり、リモートコントロール装置（図示せず）（以下、ＳＴＢ用リモコンという）を用いても操作される。
【００４７】
マイコン４１１は、リモコン受信部４０１がＳＴＢ用リモコンから発信されたコマンドを受信すると、そのコマンドに応じた処理を行う。つまり、マイコン４１１は、受信部４０４、多重分離部４０５、デスクランブラ４０６、ＴＳデコーダ４０７、およびＨＤＭＩ−ＣＥＣ通信部４１０を制御する。
【００４８】
第１メモリ４０２は、ＲＡＭ（Random Access Memory）等で構成され、マイコン４１１が一時的にデータを保存する際に使用される。
【００４９】
第２メモリ４０３は、フラッシュメモリーやハードディスク等、電源供給が停止しても情報を保持可能なデバイスで構成される。なお、第２メモリ４０３を、ＳＤ（Secure Digital：登録商標）メモリーカード等の取り外し可能な記憶デバイスとして構成してもよい。
【００５０】
受信部４０４は、ケーブルテレビ局からのケーブルに接続され、放送波を受信し、マイコン４１１から指定された周波数にチューニングし、ＭＰＥＧトラスポートストリームを抽出して多重分離部４０５に引き渡す。
【００５１】
多重分離部４０５は、受信部４０４からＭＰＥＧトラスポートストリームを受け取り、マイコン４１１から指定された情報をそのＭＰＥＧトラスポートストリームから抽出してマイコン４１１に引渡す。また、多重分離部４０５は、ＭＰＥＧトラスポートストリームをそのままデスクランブラ４０６に引き渡す。
【００５２】
デスクランブラ４０６は、多重分離部４０５から与えられたスクランブルされているＭＰＥＧトラスポートストリームをデスクランブル（＝復号）し、ＴＳデコーダ４０７に引き渡す。デスクランブラ４０６は、ＳＴＢ４に内蔵されたモジュールでも良いし、北米ケーブル受信機で導入されているＣａｂｌｅＣＡＲＤ（登録商標）でもよい。ＣａｂｌｅＣＡＲＤの仕様は米国ＣａｂｌｅＬａｂｓが策定したＣａｂｌｅＣＡＲＤ  Ｉｎｔｅｒｆａｃｅ  Ｓｐｅｃｉｆｉｃａｔｉｏｎに記載されており、ここでは説明を省略する。
【００５３】
ＴＳデコーダ４０７は、マイコン４１１から音声データと映像データの識別子を受け取る。さらに、ＴＳデコーダ４０７は、デスクランブラ４０６から受け取ったデスクランブルされたストリームから、受け取った音声データと映像データの識別子に対応する音声データと映像データを抽出する。そして、ＴＳデコーダ４０７は、抽出した映像データを映像出力部４０８に引き渡し、音声データを音声出力部４０９に引き渡す。また、ＴＳデコーダ４０７は、その両方（映像データおよび音声データ）を、ＨＤＭＩ−ＣＥＣ通信部４１０に引き渡す。
【００５４】
映像出力部４０８は、映像出力端子を含み、受け取った映像データをその映像出力端子に対応した映像データに変換して出力する。映像出力端子の例としては、コンポジットケーブル端子などがある。
【００５５】
音声出力部４０９は、音声出力端子を含み、受け取った音声データをその音声出力端子に対応した音声データに変換して出力する。音声出力端子の例としては、イヤホン端子や、コンポジットケーブル端子などがある。
【００５６】
ＨＤＭＩ−ＣＥＣ通信部４１０は、ＨＤＭＩ端子を含み、受け取った映像データおよび音声データをＨＤＭＩ仕様に基づいた映像音声データ形式に変換して出力する。また、ＨＤＭＩ−ＣＥＣ通信部４１０は、マイコン４１１からＨＤＭＩ−ＣＥＣコマンド送信の指示を受け取ると、所定のコマンドをＨＤＭＩ仕様に基づいたデータ形式に変換してそのコマンドを出力する。また、ＨＤＭＩ−ＣＥＣ通信部４１０は、ＨＤＭＩ端子を通して受け取ったＨＤＭＩ−ＣＥＣコマンドをマイコン４１１に引き渡す。
【００５７】
図５Ｂは、機器制御部４１３の内部構成を示す構成図である。
【００５８】
機器制御部４１３は、属性取得部４１３ａと、モード特定部４１３ｂと、連携実行部４１３ｃとを備えている。
【００５９】
属性取得部４１３ａは、再生対象の番組の属性たるジャンル情報を取得（抽出）する。モード特定部４１３ｂは、後述するモード対応表４１４ａに示される複数の音声出力モードの中から、属性取得部４１３ａによって取得された属性に対応する音声出力モードを特定する。連携実行部４１３ｃは、ＨＤＭＩ−ＣＥＣ通信部４１０に対してＨＤＭＩ−ＣＥＣコマンドを送信させることにより、モード特定部４１３ｂによって特定された音声出力モードに従ってテレビ１およびアンプ２の動作を連携させる。その結果、テレビ１およびアンプ３は、その音声出力モードで再生対象の番組を再生する。
【００６０】
ＥＰＧ制御部４１２は、テレビ番組の一覧を表示するとともに、ユーザからの入力を受け付ける番組表示部（図示せず）と、チャンネルの選局を行う再生部（図示せず）とで構成される。ここで、ＥＰＧは、Ｅｌｅｃｔｒｉｃ  Ｐｒｏｇｒａｍ  Ｇｕｉｄｅの略である。番組表示部は、ＳＴＢ４のリモコン受信部４０１を通して、ユーザからの入力を待つ。
【００６１】
図６は、ＳＴＢ用リモコンの操作パネルを示す図である。
【００６２】
図６に示すように、操作パネル５００は、上カーソルボタン５０１、下カーソルボタン５０２、左カーソルボタン５０３、右カーソルボタン５０４、ＯＫボタン５０５、取消ボタン５０６、ＥＰＧボタン５０７、シアターボタン５０８の８つのボタンを備えている。ユーザがこれらのボタンを押下すると、押下されたボタンの識別子が、リモコン受信部４０１を介してマイコン４１１に通知される。
【００６３】
ユーザは、ＳＴＢ用リモコンにある操作パネル５００のＥＰＧボタン５０７を押下すると、ＥＰＧボタンの識別子がリモコン受信部４０１を介してマイコン４１１に通知される。ＥＰＧ制御部４１２の番組表示部は、この識別子を受け取ると、番組情報表示データをＨＤＭＩ−ＣＥＣ通信部４１０からテレビ１に出力させる。テレビ１は、アンプ２を介してその番組情報表示データを受け取り、番組表（ＥＰＧ）を表示する。
【００６４】
図７Ａ及び図７Ｂは、テレビ１に表示された番組表の一例を示す図である。
【００６５】
図７Ａに示すように、テレビ１には、格子状に番組情報が表示されている。列６０１には、時刻情報が表示されている。列６０２には、チャンネル名「チャンネル１」と、列６０１の時刻に対応する時間帯に放映される番組の名称とが表示されている。「チャンネル１」では、９：００〜１０：３０に番組「ニュース９」が放映され、１０：３０〜１４：００に番組「映画ＡＡＡ」が放映されることが表されている。列６０３にも、列６０２と同様、チャンネル名「チャンネル２」と、列６０１の時刻に対応する時間帯に放映される番組の名称とが表示されている。９：００〜１１：００に番組「映画ＢＢＢ」が放映され、１１：００〜１４：００に番組「サッカー」が放映されることが表わされている。カーソル６３０は、操作パネル５００の左カーソルボタン５０３と右カーソルボタン５０４が押下されると移動する。図７Ａの状態で、右カーソルボタン５０４が押下されると、図７Ｂに示すように、カーソル６３０は右に移動する。また、図７Ｂの状態で、左カーソルボタン５０３が押下されると、図７Ａに示すように、カーソル６３０は左に移動する。
【００６６】
図７Ａの状態で、操作パネル５００のＯＫボタン５０５が押下されると、ＥＰＧ制御部４１２の番組表示部は、「チャンネル１」の識別子を再生部に通知する。図７Ｂの状態で、操作パネル５００のＯＫボタン５０５が押下されると、番組表示部は、「チャンネル２」の識別子を再生部に通知する。
【００６７】
また、ＥＰＧ制御部４１２の番組表示部は、放送波に重畳された番組情報表示データを、多重分離部４０５を通して定期的に、第２メモリ４０３に記録しておく。一般的に、放送局からの番組情報表示データの取得には時間が掛かる。操作パネル５００のＥＰＧボタン５０７が押下された時、番組表示部は、第２メモリ４０３に予め保存された番組情報表示データを読み出すことで、素早く番組表を表示することができる。
【００６８】
図８は、第２メモリ４０３に記憶されている番組情報表示データの一例を示す図である。
【００６９】
番組情報表示データに含まれる各番組情報は表形式で格納されている。列７０１は、チャンネルの識別子である。列７０２は、番組名である。列７０３は番組の放送開始時間、列７０４は放送終了時間である。列７０５は、番組の音声種別を表しており、モノラル音声、ステレオ音声、および５．１チャンネル音声をそれぞれ「モノラル」、「ステレオ」、および「５．１」と表記している。列７０６は、番組の種別（ジャンル情報）を表している。通常番組の種別（ジャンル情報）は空欄で示され、映画番組の種別（ジャンル情報）は「映画」で示され、スポーツ番組の種別（ジャンル情報）は「スポ」で表される。行７１１〜７１４の各行は、それぞれ１つの番組情報を表す。この例では、１つの番組情報は、チャンネルの識別子、番組名、放送開始時間、放送終了時間、番組の音声種別、および番組の種別の組となる。例えば、行７１１は、チャンネル識別子が「１」、番組名が「ニュース９」、放送開始時間が「９：００」、放送終了時間が「１０：３０」、音声種別が「モノラル」、番組の種別が「通常」であることを示す組となっている。
【００７０】
再生部は、受け取ったチャンネルの識別子を用いて、そのチャンネルの番組を再生する、すなわちチャンネルを構成する映像と音声を再生する。チャンネルの識別子とチャンネルの関係は、チャンネル情報として、第２メモリ４０３に予め格納されている。
【００７１】
図９は、第２メモリ４０３に格納されているチャンネル情報の一例を示す図である。
【００７２】
チャンネル情報は表形式で格納されている。つまり、第２メモリ４０３には、表形式で複数のチャンネル情報を示すチャンネル情報テーブル８００が格納されている。列８０１は、チャンネルの識別子である。列８０２は、チャンネル名である。列８０３はチューニング情報である。ここで、チューニング情報は、周波数や転送レート、符号化率などを含み、受信部４０４に与える値である。列８０４はプログラムナンバーである。プログラムナンバーとは、ＭＰＥＧ２規格で規定されているＰＭＴ（Program Map Table）を識別するための番号である。行８１１〜８１４の各行は、各チャンネルの識別子、チャンネル名、チューニング情報、およびプログラムナンバーの組となる。行８１１は、識別子が「１」、チャンネル名が「チャンネル１」、チューニング情報が周波数「１５０ＭＨｚ」、プログラムナンバーが「１０１」であることを示す組となっている。再生部は、チャンネルの再生を行うため、受け取ったチャンネルの識別子を用いてそのチャンネルの番組を再生する。
【００７３】
また、再生部は、再生中に、ユーザが操作パネル５００の上カーソルボタン５０１と下カーソルボタン５０２を押下すると、リモコン受信部４０１からマイコン４１１を通して、その押下に応じた通知を受け取り、再生している番組のチャンネルを変更する。つまり、ユーザが上カーソルボタン５０１を押下すると、再生部は、現在再生中の番組のチャンネルよりも一つ小さいチャンネル識別子を持つチャンネルの番組を再生し、ユーザが下カーソルボタン５０２を押下すると、現在再生中の番組のチャンネルよりも一つ大きいチャンネル識別子を持つチャンネルの番組を再生する。そして、再生部は、第２メモリ４０３に現在再生中の番組のチャンネル識別子を記録する。
【００７４】
図１０Ａ、図１０Ｂおよび図１０Ｃは、第２メモリ４０３に保存しているチャンネル識別子の例を示す図である。
【００７５】
図１０Ａに示すように、チャンネル識別子「３」が記憶されている場合、図９に示すように、そのチャンネル識別子は、チャンネル名「ＴＶ  ３」のチャンネルの番組が再生中であることを示す。図１０Ａの状態で、ユーザが上カーソルボタン５０１を押下すると、再生部は、図９のチャンネル情報テーブル７００を参照し、表中で現在再生中のチャンネルよりも一つ小さいチャンネル識別子を持つチャンネルであるチャンネル名「チャンネル２」のチャンネルの番組に再生を切り変える。同時に、再生部は、第２メモリ４０３に記憶されているチャンネル識別子を「２」に書き換える。図１０Ｂは、チャンネル識別子が書き換えられた状態を表す。また、図１０Ａの状態で、ユーザが下カーソルボタン５０２を押下すると、再生部は、図９のチャンネル情報テーブル７００を参照し、表中で現在再生中のチャンネルよりも一つ大きいチャンネル識別子を持つチャンネルであるチャンネル名「ＴＶ  Ｊａｐａｎ」のチャンネルの番組に再生を切り変える。同時に、再生部は、第２メモリ４０３に記憶されているチャンネル識別子を「４」に書き換える。図１０Ｃは、チャンネル識別子が書き換えられた状態を表す。チャンネル識別子は、第２メモリ４０３に記憶されているので、ＳＴＢ４の電源が切られた際も保存されている。
【００７６】
更に再生部は、ＳＴＢ４の電源が投入された際に、第２メモリ４０３に記憶されているチャンネル識別子を読み出す。これにより、ＳＴＢ４は、電源投入時に前回の稼動時に再生されていた最後の番組のチャンネルの再生を開始することができる。
【００７７】
機器制御部４１３は、ＨＤＭＩ−ＣＥＣ通信部４１０を制御し、ＨＤＭＩケーブルで接続されている他の機器の制御などを行う。以下、より具体的に機器制御部４１３の動作を説明する。
【００７８】
機器制御部４１３は、ＳＴＢ４のＨＤＭＩ−ＣＥＣ通信部４１０にＨＤＭＩケーブルで接続されている機器（図２Ｂに示した本実施の形態におけるシステムではテレビ１またはアンプ２）に対して、電源をＯＮ及び電源ＯＦＦするためのＨＤＭＩ−ＣＥＣコマンドを送信する。このコマンドを送信することで、接続機器の電源をＯＮもしくはＯＦＦにすることができる。実際には、このコマンドを送信する前に、機器制御部４１３は、接続されている機器の電源状態をＨＤＭＩ−ＣＥＣコマンドの送受信を行うことで確認し、電源がＯＮになっていなければ、電源ＯＮのコマンドを送信する。これによりＨＤＭＩ−ＣＥＣコマンドの送受信に伴う通信トラフィックや処理時間遅れを抑制できる。また、機器制御部４１３は、電源ＯＮもしくはＯＦＦのコマンドを送信した後、接続機器の電源状態を確認するコマンドを定期的に送信することで、接続機器が所望の電源状態に遷移したかを確認する。
【００７９】
また、機器制御部４１３は、テレビ１とアンプ２にＨＤＭＩ−ＣＥＣコマンドを送信し、シアターモードとテレビモードの切り換えを行う。この処理には、複数のＨＤＭＩ−ＣＥＣコマンドを順次送信して行う。以下、これについて、より具体的な処理を説明する。
【００８０】
このコマンド送信により、映像音声の配信元がＳＴＢ４になる。また、テレビ１は、シアターモードへの切り換えを示すＨＤＭＩ−ＣＥＣコマンドを受信すると、テレビ１のスピーカ２０８からの音声出力を停止させ、つまりミュートをＯＮにし、受信している映像のみをディスプレイ２０７に表示させる。一方、アンプ２は、このシアターモードへの切り換えを示すＨＤＭＩ−ＣＥＣコマンドを受信すると、ＳＴＢ４からＨＤＭＩケーブルを通して送られてくる音声信号をスピーカ３に出力し、そのスピーカ３から音声を出力させる。ここで、ＳＴＢ４から出力される音声信号がモノラルであれば、アンプ２はモノラルの音声を出力する。また、その音声信号がステレオであれば、アンプ２はステレオの音声を出力し、その音声信号が５．１チャンネルであれば、アンプ２は５．１チャンネルの音声を出力する。
【００８１】
また、ＳＴＢ４は、テレビモードへの切り換えを示すＨＤＭＩ−ＣＥＣコマンドを送ることで、シアターモードを終了し、音声出力モードをテレビモードに切り換える。この場合、テレビ１は、テレビモードへの切り換えを示すＨＤＭＩ−ＣＥＣコマンドを受信すると、テレビ１のスピーカ２０８から音声を出力させ、つまりミュートをＯＦＦにし、受信している映像と音声を出力する。一方、アンプ２は、このテレビモードへの切り換えを示すＨＤＭＩ−ＣＥＣコマンドを受信すると、スピーカ３からの音声出力を停止させる。
【００８２】
本実施の形態の機器連携装置１００は、ＳＴＢ４で受信されてテレビ１において再生される番組のジャンル情報（種別）に基づいて、その番組の音声出力モードを、その番組に最適なモード、つまり、テレビモードとシアターモードのいずれかに切り換える。
【００８３】
以下、この動作について、図面を参照しながら詳細に説明する。
【００８４】
ＳＴＢ４の対応表格納部４１４は、多重分離部４０５を通して取得される番組情報に含まれるジャンル情報（種別）と、そのジャンル情報に対応する音声出力モードとの対応関係を定義したモード対応表４１４ａを記憶している。
【００８５】
図１１は、対応表格納部４１４に格納されているモード対応表４１４ａの一例を示す図である。この例では、ジャンル情報と音声出力モードの対応関係が表形式で格納されている。列１００１は、ジャンル情報たるジャンル名である。列１００２は、列１００１のジャンル名に対応する音声出力モードである。なお、図１１中、テレビはテレビモードを示し、シアターはシアターモードを示す。列１００２の音声出力モードには、少なくとも「テレビ（テレビモード）」か「シアター（シアターモード）」が設定される。行１００１〜１００２の各行は、それぞれ、ジャンル情報と音声出力モードの対応関係を表す。例えば、行１００１は、ジャンル名「ニュース」と、音声出力モード「テレビモード」と示す組となっている。
【００８６】
本実施の形態では、このようなジャンル情報と音声出力モードの対応関係、つまりモード対応表４１４ａは、予め所定の内容が初期値として含まれるように作成されて対応表格納部４１４に格納されている。なお、ユーザがＳＴＢ４を操作することにより、モード対応表４１４ａの内容を所望の内容に変更できるように、例えば音声出力モードを追加できるように、ＳＴＢ４を構成してもよい。また、放送波に多重されたデータなどを用いてモード対応表４１４ａの内容を更新できるように、ＳＴＢ４を構成してもよい。また、モード対応表４１４ａを放送波から取得するようにＳＴＢ４を構成してもよい。このような変更や更新の方法は、従来の技術により容易に実現可能であるので、詳細な説明を省略する。
【００８７】
次に、本実施の形態の処理の流れを、図１２を用いて説明する。
【００８８】
図１２は、本実施の形態におけるホームシアターシステムの動作を示すフローチャートである。
【００８９】
まず、機器制御部４１３の属性取得部４１３ａは、受信した番組の番組情報から、ジャンル情報を抽出する。例えば、機器制御部４１３の属性取得部４１３ａは、図８に示す番組情報表示データの中から、受信した番組の番組情報に含まれるジャンル情報を抽出する。具体的に、機器制御部４１３の属性取得部４１３ａは、時刻１１時に再生されている番組のチャンネル識別子が「１」である場合、ジャンル情報として「映画」を抽出する（ステップＳ１１０１）。
【００９０】
ステップＳ１１０１で、ジャンル情報が抽出されると、機器制御部４１３のモード特定部４１３ｂは、図１１で説明したモード対応表４１４ａを参照し、抽出されたジャンル情報に対応する音声出力モードが「テレビモード」であるか「シアターモード」であるかを特定する。例えば、ステップＳ１１０１で得られたジャンル情報が「映画」である場合、機器制御部４１３のモード特定部４１３ｂは、図１１に示したモード対応表４１４ａを参照して、「映画」に対応する音声出力モードとして「シアターモード」を特定する。また、ステップＳ１１０１で特定されたジャンル情報が「ニュース」である場合には、機器制御部４１３のモード特定部４１３ｂは、音声出力モードとして「テレビモード」を特定する（ステップＳ１１０２）。
【００９１】
機器制御部４１３の連携実行部４１３ｃは、ステップＳ１１０２で特定された音声出力モードが「シアターモード」および「テレビモード」のいずれであるかを判断する（ステップＳ１１０３）。
【００９２】
機器制御部４１３の連携実行部４１３ｃは、音声出力モードがシアターモードであると判断すると（ステップＳ１１０３のシアターモード）、ＨＤＭＩ−ＣＥＣ通信部４１０を介してテレビ１に対して、テレビ１の音声出力をミュートするように要求するＨＤＭＩ−ＣＥＣコマンドを送信する（ステップＳ１１０４）。この場合、ＨＤＭＩ−ＣＥＣコマンドは、アンプ２を介してテレビ１に伝送される。
【００９３】
また、機器制御部４１３の連携実行部４１３ｃは、ＨＤＭＩ−ＣＥＣ通信部４１０を介してアンプ２に対して、スピーカ出力部３０６から音声信号を出力させることを伝えるＨＤＭＩ−ＣＥＣコマンドを送信する（ステップＳ１１０５）。
【００９４】
ステップＳ１１０４で、ＳＴＢ４からアンプ２を介してＨＤＭＩ−ＣＥＣコマンドが送信されると、テレビ１のＨＤＭＩ−ＣＥＣ通信部２０４は、その送信されたコマンドを受信して、マイコン２０３に出力する。テレビ１のマイコン２０３は、そのコマンドを解析し、スピーカ２０８から出力させる音声を抑える、つまりミュートする（ステップＳ１１０６）。
【００９５】
ステップＳ１１０５で、ＳＴＢ４のＨＤＭＩ−ＣＥＣ通信部４１０から、スピーカ出力部３０６から音声を出力させることを伝えるＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、セレクター３０４を介して、スピーカ出力部３０６から音声信号を出力させる（ステップＳ１１０７）。ここで、ＳＴＢ４から出力される音声信号がモノラルであれば、アンプ２は、モノラルの音声を出力する。また、その音声信号がステレオであれば、アンプ２はステレオの音声を出力し、その音声信号が５．１チャンネルであれば、アンプ２は５．１チャンネルの音声を出力する。また、アンプ２は、ステレオの音声を擬似的に５．１チャンネルの音声に変換して出力したり、逆に、５．１チャンネルの音声を擬似的にステレオの音声に変換して出力したりしてもよい。
【００９６】
以上のステップＳ１１０４〜Ｓ１１０７の処理により、本実施の形態の機器連携装置１００は、シアターモードとして音声を出力する。
【００９７】
一方、機器制御部４１３の連携実行部４１３ｃは、音声出力モードがテレビモードであると判断すると（ステップＳ１１０３のテレビモード）、ＨＤＭＩ−ＣＥＣ通信部４１０を介して、テレビ１に対して、テレビ１の音声出力のミュートを解除するように要求するＨＤＭＩ−ＣＥＣコマンド、つまり音声を出力するように要求するＨＤＭＩ−ＣＥＣコマンドを送信する（ステップＳ１１１４）。この場合、ＨＤＭＩ−ＣＥＣコマンドは、アンプ２を介してテレビ１に伝送されることになる。
【００９８】
また、機器制御部４１３の連携実行部４１３ｃは、ＨＤＭＩ−ＣＥＣ通信部４１０を介してアンプ２に対して、スピーカ出力部３０６からの音声信号の出力を抑えるように要求するＨＤＭＩ−ＣＥＣコマンド、つまりスピーカ３からの音声出力をミュートするように要求するＨＤＭＩ−ＣＥＣコマンドを送信する（ステップＳ１１１５）。
【００９９】
ステップＳ１１１４で、ＳＴＢ４からアンプ２を介してＨＤＭＩ−ＣＥＣコマンドが送信されると、テレビ１のＨＤＭＩ−ＣＥＣ通信部２０４は、その送信されたコマンドを受信して、マイコン２０３に出力する。テレビ１のマイコン２０３は、そのコマンドを解析し、音声出力のミュートを解除し、スピーカ２０８から音声を出力させる（ステップＳ１１１６）。
【０１００】
ステップＳ１１１５で、ＳＴＢ４のＨＤＭＩ−ＣＥＣ通信部４１０から、スピーカ出力部３０６からの音声信号の出力を抑えるように要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、スピーカ出力部３０６からの音声信号の出力を抑える、つまりスピーカ３からの音声出力をミュートする（ステップＳ１１１７）。
【０１０１】
以上のステップＳ１１１４〜Ｓ１１１７の処理により、本実施の形態の機器連携装置１００は、テレビモードとして音声を出力する。
【０１０２】
以上の処理により、本実施の形態の機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信した番組情報のジャンル情報に応じて、モード対応表４１４ａに従い、自動的に切り替えることができる。結果、映画などを臨場感のある音声で簡単に視聴することができる。言い換えれば、本実施の形態の機器連携装置１００では、ＳＴＢ４が受信した番組情報から視聴中番組のジャンル情報を抽出し、抽出したジャンル情報に適切な音声出力モードの変更を、ＨＤＭＩ−ＣＥＣコマンドを用いて行うことにより、ジャンルに対応する適切な音声出力モードの変更を、自動的に行うことができる。
【０１０３】
なお、図１２で説明した処理の順序は一例であり、実質的に等価な動作が行われれば処理の順序が異なっていても良いことは言うまでもない。また、機器制御部４１３は、接続環境を予め調べ、テレビモードとシアターモードとの切り替えが実施できない環境である場合には、図１２の処理は行わないよう動作してもよい。切り替えができない接続環境とは、所定の機器連携動作を実現するための機器がＨＤＭＩ接続されていないような環境、例えば、アンプ２がＳＴＢ４にＨＤＭＩ接続されておらず、ＳＴＢ４とテレビ１のみが接続されているような環境である。
【０１０４】
（変形例１）
次に、本発明の実施の形態における第１の変形例について説明する。
【０１０５】
上記実施の形態では、番組のジャンル情報に基づいて音声出力モードを切り換えたが、本変形例では、チャンネル情報に基づいて音声出力モードを切り換える。つまり、本変形例に係る機器連携装置１００は、ＳＴＢ４で受信されてテレビ１で再生されている番組のチャンネル情報に基づいて、その番組の音声出力モードを、その番組に最適なモード、つまり、テレビモードとシアターモードのいずれかに切り換える。
【０１０６】
本変形例における、ＳＴＢ４の対応表格納部４１４は、チャンネル識別子で指定されるチャンネル番号と、そのチャンネル番号（チャンネル識別子）に対応する音声出力モードの対応関係を定義したモード対応表を記憶している。
【０１０７】
図１３は、本変形例に係る対応表格納部４１４に格納されているモード対応表の一例を示す図である。
【０１０８】
本変形例に係る対応表格納部４１４は、図１３に示すモード対応表４１４ｂを格納している。この例では、チャンネル識別子と音声出力モードの対応関係が表形式で格納されている。列１２１１はチャンネル識別子、列１２１２は放送局名、列１２１３は音声出力モードを表している。なお、図１３中、テレビはテレビモードを示し、シアターはシアターモードを示す。列１２１３の音声出力モードには、少なくとも「テレビ（テレビモード）」か「シアター（シアターモード）」が設定される。行１２０１〜１２０３の各行は、それぞれ、チャンネル識別子と放送局名と音声出力モードの対応関係を表す組になっている。例えば、行１２０１は、チャンネル識別子「１」と、放送局名「チャンネル１」と、音声出力モード「テレビモード」とを示す組となっている。
【０１０９】
本変形例では、このようなチャンネル識別子と音声出力モードの対応関係、つまりモード対応表４１４ｂは、予め所定の内容が初期値として含まれるように作成されて対応表格納部４１４に格納されている。なお、ユーザがＳＴＢ４を操作することにより、モード対応表４１４ａの内容を所望の内容に変更できるように、ＳＴＢ４を構成してもよい。また、放送波に多重されたデータなどを用いてモード対応表４１４ｂの内容を更新できるように、ＳＴＢ４を構成していてもよい。このような変更や更新の方法は、従来の技術により容易に実現可能であるので、詳細な説明を省略する。
【０１１０】
次に、本変形例の処理の流れを、図１４を用いて説明する。
【０１１１】
図１４は、本変形例におけるホームシアターシステムの動作を示すフローチャートである。なお、図１４において、図１２と同じ処理には同じ記号を付して説明を省略する。
【０１１２】
まず、機器制御部４１３の属性取得部４１３ａは、再生（視聴）中の番組のチャンネルを示すチャンネル番号（チャンネル識別子）を検出する。例えば、機器制御部４１３の属性取得部４１３ａは、図９に示すチャンネル情報テーブルの中から、受信中の番組のチャンネルを示すチャンネル番号を特定する。例えば、機器制御部４１３の属性取得部４１３ａはチャンネル番号「１」を特定する（ステップＳ１３０１）。
【０１１３】
ステップＳ１３０１で、視聴中のチャンネル番号が特定されると、機器制御部４１３のモード特定部４１３ｂは、図１３に示すモード対応表４１４ｂを参照し、その視聴中のチャンネル番号（チャンネル識別子）に対応する音声出力モードが「テレビモード」であるか「シアターモード」であるかを特定する。例えば、特定されたチャンネル番号が「１」である場合、機器制御部４１３のモード特定部４１３ｂは、図１３に示したモード対応表４１４ｂを参照して、チャンネル番号「１」に対応する音声出力モードとして「テレビモード」を特定する（ステップＳ１３０２）。また、特定されたチャンネル番号が「３」である場合には、機器制御部４１３のモード特定部４１３ｂは、図１３に示したモード対応表４１４ｂを参照して、チャンネル番号「３」に対応する音声出力モードとして「シアターモード」を特定する。
【０１１４】
以後、機器制御部４１３は、ステップＳ１３０２で特定された音声出力モードが「シアターモード」であるか「テレビモード」であるかに応じて、上記実施の形態と同様の動作を行う。つまり、本変形例に係るホームシアターシステムは、ステップＳ１３０２以降、上記実施の形態のステップＳ１１０３〜Ｓ１１１７の動作を行う。
【０１１５】
なお、図１４で説明した処理の順序は一例であり、実質的に等価な動作が行われれば処理の順序が異なっても良いことは言うまでもない。
【０１１６】
以上の処理により、本変形例に係る機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信したチャンネル番号に応じて、モード対応表４１４ｂに従い、自動的に切り替えることができる。結果、ケーブルテレビの放送サービスやデジタル放送サービスなどで提供される映画専門チャンネルなどを視聴する際、チャンネルを選局するだけで、自動的にマルチチャンネルのスピーカから音声を出力させることができ、映画を臨場感のある音声で簡単に視聴することができる。言い換えれば、本変形例に係る機器連携装置１００では、ＳＴＢ４が受信した番組情報から視聴中のチャンネル番号を抽出し、抽出したチャンネル番号に適切な音声出力モードの変更を、ＨＤＭＩ−ＣＥＣコマンドを用いて行うことにより、チャンネル番号に対応する適切な音声出力モードの変更を、自動的に行うことができる。
【０１１７】
（変形例２）
次に、本発明の実施の形態における第２の変形例について説明する。
【０１１８】
上記実施の形態の番組情報表示データには、図８に示すように音声出力モードが含められていなかったが、本変形例に係る番組情報表示データには、音声出力モードが含められている。つまり、本変形例では、ＥＰＧデータとして送られてくる番組情報表示データに付随する番組情報の中に、その番組に応じた最適な音声出力モードが指定されており、機器連携装置１００は、番組の音声出力モードを、その指定された最適なモード、つまりテレビモードとシアターモードのいずれかに切り換える。
【０１１９】
図１５は、本変形例に係る第２メモリ４０３に記憶されている番組情報表示データの一例を示す図である。
【０１２０】
この図１５に示す番組情報表示データは、図８に示す番組情報表示データには含まれていない列７２１を有する。列７２１は各番組の最適な音声出力モードを表しており、テレビモードおよびシアターモードをそれぞれ「テレビ」および「シアター」と表記している。このような番組情報表示データは、行７１１に対応する番組にはテレビモードでの視聴が適しており、行７１２〜７１４に対応する番組にはシアターモードでの視聴が適していることを示している。ここで、各番組の音声出力モードは、番組ごとに付随する番組情報の一部として放送され、多重分離部４０５を通じて第２メモリ４０３に格納される。
【０１２１】
また、本変形例の機器連携装置１００は、モード対応表４１４ａ，４１４ｂを格納する対応表格納部４１４を備えていない。
【０１２２】
次に、本変形例の処理の流れを、図１６を用いて説明する。
【０１２３】
図１６は、本変形例におけるホームシアターシステムの動作を示すフローチャートである。なお、図１６において、図１２と同じ処理には同じ記号を付して説明を省略する。
【０１２４】
まず、機器制御部４１３は、受信した番組の番組情報から、その番組の音声出力モードを取得する。例えば、機器制御部４１３のモード特定部４１３ｂは、図１５に示す番組情報表示データの中から、受信した番組の番組情報に含まれる音声出力モードを特定する（ステップＳ１１４１）。例えば、機器制御部４１３のモード特定部４１３ｂは、現在時刻が１１：００であり、再生されている番組のチャンネル識別子が「１」である場合、音声出力モードとして「シアター」を検出する。
【０１２５】
以後、機器制御部４１３は、ステップＳ１１４１で得られた音声出力モードが「シアターモード」であるか「テレビモード」であるかに応じて、上記実施の形態と同様の動作を行う。つまり、本変形例に係るホームシアターシステムは、ステップＳ１１４１以降、上記実施の形態のステップＳ１１０３〜Ｓ１１１７の動作を行う。なお、図１６で説明した処理の順序は一例であり、実質的に等価な動作が行われれば処理の順序が異なっても良いことは言うまでもない。
【０１２６】
以上の処理により、本変形例に係る機器連携装置１００では、テレビ１のスピーカ２０８から音声を出力するのか、アンプ２に接続されたスピーカ３から音声を出力するのかを、ユーザが都度、操作する必要がない。つまり、本変形例に係る機器連携装置１００では、ＳＴＢ４が受信した番組情報表示データ（ＥＰＧデータ）に含まれる番組情報から、番組毎に推奨される音声出力モードを取得し、その推奨される音声出力モードに自動的に切り替えることができる。
【０１２７】
例えば、番組のジャンル情報が「ドラマ」である場合、一般に、その番組の適切な音声出力モードはテレビモードである。しかし、番組のジャンル情報が「ドラマ」であっても、シアターモードの方が適切で、臨場感をもってその番組を視聴できる場合がある。このような場合、放送サービスの提供者の意図に応じて、番組毎にきめ細かく音声出力モードを指定でき、かつ、視聴者はわざわざシアターモードで音声出力するためにわずらわしい操作をしなくても、自動的にマルチチャンネルのスピーカから音声を出力させることができる。
【０１２８】
（変形例３）
次に、本発明の実施の形態における第３の変形例について説明する。
【０１２９】
上記実施の形態では、ジャンル情報に応じて音声出力モードを切り換えたが、本変形例では、音声出力モードだけでなく画質および音場を切り換える。つまり、本変形例に係るテレビ１は、画質および音場の調整機能を有し、本変形例に係るアンプ２は音場制御機能を有している。そして、本変形例に係る機器制御部４１３は、上述の画質および音場の設定を切り換える機能を有する。なお、音場には音質が含まれ、その音場は、反射音や残響音の大きさや、残響時間、周波数特性などを示す。
【０１３０】
テレビ１は、ディスプレイ２０７の画質、例えば、明るさ、コントラスト、色合いなどを、調整できるように構成されている。このような画質調整は、ＨＤＭＩ−ＣＥＣ通信部２０４で受信されたＨＤＭＩ−ＣＥＣコマンドに応じたマイコン２０３からの指示により行われる。ここで、画質調整は、例えば、予めセットされた複数の画質モードから選択することで簡単に設定される。また、テレビ１は、スピーカ２０８から出力される音声の音場を制御できるように構成されている。このような音場の制御は、ＨＤＭＩ−ＣＥＣ通信部２０４で受信されたＨＤＭＩ−ＣＥＣコマンドに応じたマイコン２０３からの指示により行われる。ここで、音場の制御は、例えば、予めセットされた複数の音場モードから選択することで簡単に設定される。
【０１３１】
アンプ２は、スピーカ出力部３０６から出力される音声の音場を制御できるように構成されている。このような音場の制御は、ＨＤＭＩ−ＣＥＣ通信部３０３で受信されたＨＤＭＩ−ＣＥＣコマンドに応じたマイコン３０２からの指示により行われる。ここで、音場の制御は、例えば、予めセットされた複数の音場モードから選択することで簡単に設定される。また、音場の制御は、より具体的には、反射音の大きさ、数、残響音の大きさ、残響時間などの残響特性パラメータと、周波数特性パラメータとに基づいた音声信号処理を行うものであり、従来の技術により実現可能である。また、映像表示の画質調整は、従来の技術で容易に実現できるので、ここでは詳細な説明を省略する。
【０１３２】
図１７は、本変形例に係る対応表格納部４１４に格納されているモード対応表の一例を示す図である。
【０１３３】
この図１７に示すモード対応表４１４ｃは、図１１で説明した上記実施の形態のモード対応表４１４ａに含まれていない、列１５０１および列１５０２を有する。列１５０１は、列１０１１に格納されたジャンル情報に対応する音場モードを表している。例えば、音場モードには、「音場Ａ」、「音場Ｂ」、「音場Ｃ」、および「音場Ｄ」の何れかが設定されている。列１５０２は、列１０１１に格納されたジャンル情報に対応する画質モードを表している。例えば、画質モードには、「画質Ａ」、「画質Ｂ」、「画質Ｃ」、および「画質Ｄ」の何れかが設定されている。このようなモード対応表４１４ｃは、各ジャンルの番組に対して、列１０１２、列１５０１、および列１５０２にそれぞれ格納された音声出力モード、音場モード、および画質モードが視聴に適していることを意味している。
【０１３４】
このようなモード対応表４１４ｃは、予め所定の内容が初期値として含まれるように作成されて対応表格納部４１４に格納されている。なお、ユーザがＳＴＢ４を操作することにより、モード対応表４１４ｃの内容を所望の内容に変更できるように、ＳＴＢ４を構成してもよい。また、放送波に多重されたデータなどを用いてモード対応表４１４ｃの内容を更新できるように、ＳＴＢ４を構成してもよい。このような変更や更新の方法は、従来の技術により容易に実現可能であるので、詳細な説明を省略する。
【０１３５】
次に、実施の形態４の処理の流れを、図１８を用いて説明する。
【０１３６】
図１８は、本変形例に係るホームシアターシステムの動作を示すフローチャートである。なお、図１２で説明した上記実施の形態の処理と同じ処理には同じ番号を付し、重複した説明を省略する。
【０１３７】
まず、機器制御部４１３は、受信した番組の番組情報から、ジャンル情報を抽出する。例えば、機器制御部４１３の属性取得部４１３ａは、図８に示す番組情報表示データの中から、受信した番組の番組情報に含まれるジャンル情報を抽出する。例えば、機器制御部４１３の属性取得部４１３ａは、時刻１１時に再生されている番組のチャンネル識別子が「１」である場合、ジャンル情報として「映画」を抽出する（ステップＳ１１０１）。
【０１３８】
ステップＳ１１０１で、ジャンル情報が抽出されると、機器制御部４１３のモード特定部４１３ｂは、図１７で説明したモード対応表４１４ｃを参照し、抽出されたジャンル情報に対応する音声出力モードが「テレビモード」であるか「シアターモード」であるかを特定する。さらに、機器制御部４１３のモード特定部４１３ｂは、そのジャンル情報に対応する音場モードおよび画質モードを特定する。例えば、ステップＳ１１０１で得られたジャンル情報が「映画」である場合、機器制御部４１３のモード特定部４１３ｂは、図１７に示したモード対応表４１４ｃを参照して、「映画」に対応する音声出力モードとして「シアターモード」を特定し、音場モードとして「音場Ｃ」を特定し、画質モードとして「画質Ｃ」を特定する。また、ステップＳ１１０１で得られたジャンル情報が「ニュース」である場合には、機器制御部４１３のモード特定部４１３ｂは、音声出力モードとして「テレビモード」を特定し、音場モードとして「音場Ａ」を特定し、画質モードとして「画質Ａ」を特定する（ステップＳ１６０１）。
【０１３９】
以後、機器制御部４１３は、ステップＳ１６０１で特定された音声出力モードが「シアターモード」であるか「テレビモード」であるかに応じて、上記実施の形態の図１２に示す動作と同様の動作を行うとともに、さらに、ステップＳ１６０２、ステップＳ１６１２、およびステップＳ１６２１の動作を行う。つまり、本変形例に係るホームシアターシステムは、ステップＳ１６０１以降、上記実施の形態のステップＳ１１０３〜Ｓ１１１７の動作を行うとともに、ステップＳ１６０２、ステップＳ１６０３、ステップＳ１６１２、ステップＳ１６１３、ステップＳ１６２１、およびステップＳ１６２２の動作を行う。
【０１４０】
機器制御部４１３の連携実行部４１３ｃは、ステップＳ１１０３において、音声出力モードが「シアターモード」であると判断した場合、音場モードを、ステップＳ１６０１で特定した音場モード（例えば、映画モード）に設定するように指示するＨＤＭＩ−ＣＥＣコマンドをアンプ２に対して送信する（ステップＳ１６０２）。次に、アンプ２のＨＤＭＩ−ＣＥＣ通信部３０３は、そのＨＤＭＩ−ＣＥＣコマンドを受信するとマイコン３０２に出力する。アンプ２のマイコン３０２は、そのコマンドを解析し、スピーカ出力部３０６から出力される音声信号の音場をそのコマンドに応じて制御する（ステップＳ１６０３）。これにより、音場モードが切り換えられる。
【０１４１】
一方、機器制御部４１３の連携実行部４１３ｃは、ステップＳ１１０３において、音声出力モードが「テレビモード」であると判断した場合、音場モードを、ステップＳ１６０１で特定した音場モード（例えば、映画モード）に設定するように指示するＨＤＭＩ−ＣＥＣコマンドをテレビ１に対して送信する（ステップＳ１６１２）。次に、テレビ１のＨＤＭＩ−ＣＥＣ通信部２０４は、そのＨＤＭＩ−ＣＥＣコマンドを受信するとマイコン２０３に出力する。テレビ１のマイコン２０３は、そのコマンドを解析し、スピーカ２０８から出力される音声の音場をそのコマンドに応じて制御する（ステップＳ１６１３）。これにより、音場モードが切り換えられる。
【０１４２】
さらに、機器制御部４１３の連携実行部４１３ｃは、ステップＳ１１０３における音声出力モードの判断結果に関わらず、画質モードを、ステップＳ１６０１で特定した画質モード（例えば、シネマモード）に設定するように指示するＨＤＭＩ−ＣＥＣコマンドをテレビ１に対して送信する（ステップＳ１６２１）。次に、テレビ１のＨＤＭＩ−ＣＥＣ通信部２０４は、そのＨＤＭＩ−ＣＥＣコマンドを受信するとマイコン２０３に出力する。テレビ１のマイコン２０３は、そのコマンドを解析し、ディスプレイ２０７で表示される画像の画質をそのコマンドに応じて調整する（ステップＳ１６２２）。これにより、画質モードが切り換えられる。
【０１４３】
なお、図１８で説明した処理の順序は一例であり、実質的に等価な動作が行われれば処理の順序が異なっても良いことは言うまでもない。
【０１４４】
以上の処理により、本変形例の機器連携装置１００では、テレビ１のスピーカ２０８から音声を出力するのか、アンプ２に接続されたスピーカ３から音声を出力するのかを、ユーザが都度、操作する必要がなく、ＳＴＢ４が受信した番組情報のジャンル情報に応じて、モード対応表４１４ｃに従い、自動的に切り替えることができる。さらに、本変形例の機器連携装置１００では、番組のジャンルに応じて、その番組の画質と音場を、最適な画質と音場に自動的に調整することができる。結果、テレビ１およびアンプ２に対して、それぞれ個別に煩わしい設定をすることなく、映画などを臨場感のある画質および音声で簡単に視聴することができる。
【０１４５】
なお、本変形例のモード対応表４１４ｃでは、ジャンル情報ごとに、そのジャンル情報と音声出力モードと画質モードと音場モードとを対応付けたが、変形例１と同様に、チャンネル識別子ごとに、そのチャンネル識別子と音声出力モードと画質モードと音場モードとを対応付けても良い。また、モード対応表４１４ｃを有することなく、変形例２と同様に、番組情報表示データ（ＥＰＧデータ）の各番組情報に、音声出力モードと画質モードと音場モードとを含めてもよい。
【０１４６】
（変形例４）
次に、本発明の実施の形態における第４の変形例について説明する。
【０１４７】
上記実施の形態では、アンプ２の電源をオン／オフすることなく、アンプ２に接続されたスピーカ３からの音声出力を制御したが、本変形例では、アンプ２の電源をオン／オフすることにより、アンプ２に接続されたスピーカ３からの音声出力を制御する。つまり、本変形例に係る機器連携装置１００は、アンプ２に接続されたスピーカ３から音声を出力させないときには、アンプ２の電源をＯＦＦさせる。
【０１４８】
図１９は、本変形例に係るホームシアターシステムの動作を示すフローチャートである。なお、図１２で説明した上記実施の形態の処理と同じ処理には同じ番号を付し、重複した説明を省略する。つまり、本変形例に係るホームシアターシステムでは、図１５に示すステップＳ１７１１、ステップＳ１７１２、ステップＳ１７２１、およびステップＳ１７２２の処理以外、図１２で説明した処理と同じ処理が行われる。
【０１４９】
機器制御部４１３の連携実行部４１３ｃは、ステップＳ１１０３で音声出力モードがシアターモードであると判断すると（ステップＳ１１０３のシアターモード）、ＨＤＭＩ−ＣＥＣ通信部４１０を介してアンプ２に対して、アンプ２の電源をＯＮするように要求するＨＤＭＩ−ＣＥＣコマンドを送信する（ステップＳ１７１１）。
【０１５０】
ステップＳ１７１１で、ＳＴＢ４のＨＤＭＩ−ＣＥＣ通信部４１０から、電源ＯＮを要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、アンプ２全体の電源をＯＮにする（ステップＳ１７１２）。なお、マイコン３０２は、既に電源がＯＮの状態である場合には、何もしない。そして、ホームシアターシステムは、図１２で説明したステップＳ１１０４〜Ｓ１１０７の処理を行なうことにより、アンプ２に接続されたスピーカ３から音声を出力させ、テレビ１からの音声出力をミュートさせる。
【０１５１】
一方、機器制御部４１３の連携実行部４１３ｃは、ステップＳ１１０３で音声出力モードがテレビモードであると判断すると（ステップＳ１１０３のテレビモード）、ＨＤＭＩ−ＣＥＣ通信部４１０を介して、アンプ２に対して、アンプ２の電源をＯＦＦするように要求するＨＤＭＩ−ＣＥＣコマンドを送信する（ステップＳ１７２１）。
【０１５２】
ステップＳ１７２１で、ＳＴＢ４のＨＤＭＩ−ＣＥＣ通信部４１０から、電源ＯＦＦを要求するＨＤＭＩ−ＣＥＣコマンドが送信されると、アンプ２のＨＤＭＩ−ＣＥＣ通信部３０３は、その送信されたコマンドを受信して、マイコン３０２に出力する。アンプ２のマイコン３０２は、そのコマンドを解析し、アンプ２のマイコン３０２を除く電源をＯＦＦにする（ステップＳ１７２２）。なお、マイコン３０２は、既に電源がＯＦＦの状態である場合には、何もしない。そして、ホームシアターシステムは、図１２で説明したステップＳ１１１４およびステップＳ１１１６の処理を行なうことにより、アンプ２に接続されたスピーカ３からの音声出力を停止させ、代わりにテレビ１から音声を出力させる。
【０１５３】
以上の処理により、本変形例に係る機器連携装置１００は、放送番組がモノラル音声の番組である場合など、所定の条件に基づき、アンプ２のスピーカ出力部３０６から音声信号を出力しないと判断したときには、アンプ２の電源を自動的にＯＦＦするように動作する。その結果、本変形例では、アンプ２を使用して音声を出力する必要のないときに、ユーザがわざわざアンプ２を操作してそのアンプ２の電源をＯＦＦしなければならないという煩わしい操作を省くことができる。さらに、本変形例では、ユーザがアンプ２の電源をＯＦＦにするのを忘れて、無駄な電力消費を削減することができる。したがって、本変形例に係る機器連携装置１００では、使い勝手を向上することができる。
【０１５４】
以上、本発明に係る機器連携装置１００について、実施の形態および変形例を用いて説明したが、本発明は、これらに限定されるものではない。
【０１５５】
例えば、機器連携装置１００は、テレビモードとシアターモードの何れかをユーザに選択させてもよい。つまり、ユーザがＳＴＢ４のチャンネルを変更するときに、頻繁にテレビモードとシアターモードの切り替えが発生すると、ユーザが不快になる可能性もある。このような場合、機器連携装置は、ユーザにテレビモードとシアターモードの何れかを選択させる。
【０１５６】
具体的に、ＳＴＢ４の機器制御部４１３は、ＨＤＭＩ−ＣＥＣ通信部４１０からＨＤＭＩ−ＣＥＣコマンドを送信させることにより、ホームシアターシステムを構成するためのテレビ１とアンプ２の両方がＳＴＢ４に接続されているかどうかを判断する。そして、機器制御部４１３は、両方が接続されていると判断し、番組に適した音声出力モードとしてシアターモードを特定すると、音声出力モードを直ぐにシアターモードに切り換えることなく、テレビ１のディスプレイ２０７にシアターモードへの変更を促すメッセージを表示させる。
【０１５７】
図２０は、ディスプレイ２０７に表示されるメッセージを示す図である。
【０１５８】
例えば、図２０に示すように、機器制御部４１３は、ディスプレイ２０７における番組が表示される領域１８０２に、「シアター」と記されたメッセージ１８０１を表示させる。このメッセージ１８０２は、シアターモードへの変更が可能なことを視聴者に知らせている。ここで、ユーザは、ＳＴＢ用リモコンの図６に示す操作パネル５００のシアターボタン５０８を押すと、音声出力モードをシアターモードに設定することができる。なお、シアターボタン５０８は、ディスプレイ２０７上のグラフィカルユーザインターフェースとして実現することも可能である。
【０１５９】
また、機器連携装置１００は、スピーカ３から出力される音声を、モノラル音声や、ステレオ音声、５．１チャンネル音声などの何れの音声にするかをユーザに選択させてもよい。この場合、機器連携装置１００は、選択された音声が出力されるように要求するＨＤＭＩ−ＣＥＣコマンドを、ＨＤＭＩ−ＣＥＣ４１０からアンプ２に出力させる。そして、アンプ２は、そのコマンドにより示される音声をスピーカ３に出力させる。これにより、ユーザは、５．１チャンネル音声で出力されるような番組でも、自らの要望に応じて、モノラル音声やステレオ音声でその番組を視聴することができ、使い勝手をより向上することができる。
【０１６０】
また、本実施の形態および変形例では、テレビ１は、チューナ２０５およびデコーダ２０６を具備したが、これらの構成要素を備えていなくてもよい。
【０１６１】
また、本実施の形態および変形例では、ＳＴＢ４がＣＡＴＶやデジタル放送などの放送データを受信したが、テレビ１がＳＴＢ４の代わりに放送データを受信してもよい。この場合、機器制御部４１３および対応表格納部４１４からなる機器連携装置１００はテレビ１に備えられる。そして、テレビ１に備えられた機器連携装置１００が、ジャンル情報やチャンネル識別子を解析し、音声出力モードや画質、音場を変更する。
【０１６２】
また、本実施の形態および変形例では、ＳＴＢ４は、ＣＡＴＶやデジタル放送などの放送データを受信したが、さらに、ハードディスクやＤＶＤ（Digital Versatile Disk）等へ放送番組を記録してもよい。
【０１６３】
また、本実施の形態および変形例では、機器連携装置１００は、放送された番組のジャンル情報やチャンネル識別子に応じた音声出力モードの変更を実現したが、ハードディスクやＤＶＤ等に記録された番組のジャンル情報やチャンネル識別子、及びその他の属性等を用いて音声出力モードや画質、音場の変更を実現してもよい。
【０１６４】
また、本実施の形態および変形例では、機器連携装置１００は、現在の音声出力モードの設定に関わらず、ジャンル情報やチャンネル識別子に対応する音声出力モードへの変更を要求するＨＤＭＩ−ＣＥＣコマンドを送信したが、現在の音声出力モードを確認し、変更が必要な場合にのみ、そのコマンドを送信してもよい。つまり、機器連携装置１００は、ジャンル情報やチャンネル識別子を抽出すると、まず、現在の音声出力モードを確認するためのＨＤＭＩ−ＣＥＣコマンドの送受信処理を行い、その結果、現在の設定から変更する必要のある場合のみ、ジャンル情報やチャンネル識別子に対応する音声出力モードへの変更を要求するＨＤＭＩ−ＣＥＣコマンドを送信する。
【０１６５】
また、本実施の形態および変形例では、機器連携装置１００は、音声出力モードの変更を要求するＨＤＭＩ−ＣＥＣコマンドを送信し、再送をしなかったが、再送してもよい。つまり、アンプ２やテレビ１は、ＨＤＭＩ−ＣＥＣコマンドを受信するとそのコマンドを受信したことを通知するコマンドや、音声出力モードを変更したことを通知するコマンドを機器連携装置１００に送信する。そして、機器連携装置１００は、ＨＤＭＩ−ＣＥＣコマンドの送信後予め定めた時間内に、変更したことを通知するコマンドを受信しなかったり、変更できなかったことを通知するコマンドを受信したりすると、再度、ＨＤＭＩ−ＣＥＣコマンドを送信する。
【０１６６】
また、本実施の形態および変形例では、ＥＰＧ制御部４１２や機器制御部４１３を、専用のハードウェアで構成したが、ＥＰＧ制御部４１２や機器制御部４１３を、第２メモリ４０３に記憶された、マイコン４１１などのＣＰＵ（Central Processing Unit）で実行させるプログラムとして構成してもよい。
【０１６７】
また、本実施の形態および変形例における機器連携装置１００、つまり機器制御部４１３および対応表格納部４１４を例えばＬＳＩ（Large Scale Integration）などの半導体集積回路で構成してもよい。
【０１６８】
その他、本発明の主旨を変えずして、種々の変更が可能である。
【産業上の利用可能性】
【０１６９】
本発明の機器連携装置は、ユーザによる操作負担を軽減して適切に機器を連携させることができるという効果を奏し、例えば、ＳＴＢなどの放送受信機や、放送受信可能な携帯電話、携帯端末、車載端末、インターネットを介して音声映像データを受信するパーソナルコンピュータ等に適用することができる。
【図面の簡単な説明】
【０１７０】
【図１】図１は、従来例のＡＶアンプの構成図である。
【図２Ａ】図２Ａは、本発明の実施の形態における機器連携装置を含むシステムの構成を示す構成図である。
【図２Ｂ】図２Ｂは、本発明の実施の形態に係るホームシアターシステムの構成図である。
【図３】図３は、本発明の実施の形態に係るテレビの構成図である。
【図４】図４は、本発明の実施の形態に係るアンプの構成図である。
【図５Ａ】図５Ａは、本発明の実施の形態に係るＳＴＢの構成図である。
【図５Ｂ】図５Ｂは、本発明の実施の形態に係る機器制御部の構成図である。
【図６】図６は、本発明の実施の形態に係るＳＴＢ用リモコンの操作パネルを示す図である。
【図７Ａ】図７Ａは、本発明の実施の形態に係る番組表の一例を示す図である。
【図７Ｂ】図７Ｂは、本発明の実施の形態に係る番組表の他の例を示す図である。
【図８】図８は、本発明の実施の形態に係る第２メモリに保存されている番組情報表示データの一例を示す図である。
【図９】図９は、本発明の実施の形態に係る第２メモリに保存されているチャンネル情報の一例を示す図である。
【図１０Ａ】図１０Ａは、本発明の実施の形態に係る第２メモリに保存されているチャンネル識別子の一例を示す図である。
【図１０Ｂ】図１０Ｂは、本発明の実施の形態に係る第２メモリに保存されているチャンネル識別子の他の例を示す図である。
【図１０Ｃ】図１０Ｃは、本発明の実施の形態に係る第２メモリに保存されているチャンネル識別子のさらに他の例を示す図である。
【図１１】図１１は、本発明の実施の形態に係るモード対応表の一例を示す図である。
【図１２】図１２は、本発明の実施の形態に係るホームシアターシステムの動作を表すフローチャートである。
【図１３】図１３は、本発明の実施の形態の変形例１に係るモード対応表の一例を示す図である。
【図１４】図１４は、本発明の実施の形態の変形例１に係るホームシアターシステムの動作を表すフローチャートである。
【図１５】図１５は、本発明の実施の形態の変形例２に係る番組情報表示データの一例を示す図である。
【図１６】図１６は、本発明の実施の形態の変形例２に係るホームシアターシステムの動作を表すフローチャートである。
【図１７】図１７は、本発明の実施の形態の変形例３に係るモード対応表の一例を示す図である。
【図１８】図１８は、本発明の実施の形態の変形例３に係るホームシアターシステムの動作を表すフローチャートである。
【図１９】図１９は、本発明の実施の形態の変形例４に係るホームシアターシステムの動作を表すフローチャートである。
【図２０】図２０は、本発明に係るディスプレイに表示されるメッセージの一例を示す図である。
【符号の説明】
【０１７１】
１    テレビ
２    アンプ
３    スピーカ
４    ＳＴＢ
１００    機器連携装置
２０１    メモリ
２０２    リモコン受信部
２０３    マイコン
２０４    ＨＤＭＩ−ＣＥＣ通信部
２０５    チューナ
２０６    デコーダ
２０７    ディスプレイ
２０８    スピーカ
３０１    ＨＤＭＩ−ＣＥＣ通信部
３０２    マイコン
３０３    ＨＤＭＩ−ＣＥＣ通信部
３０４    セレクター
３０５    外部入力部
３０６    スピーカ出力部
４０１    リモコン受信部
４０２    第１メモリ
４０３    第２メモリ
４０４    受信部
４０５    多重分離部
４０６    デスクランブラ
４０７    ＴＳデコーダ
４０８    映像出力部
４０９    音声出力部
４１０    ＨＤＭＩ−ＣＥＣ通信部
４１１    マイコン
４１２    ＥＰＧ制御部
４１３    機器制御部
４１３ａ    属性取得部
４１３ｂ    モード特定部
４１３ｃ    連携実行部
４１４    対応表格納部
４１４ａ    モード対応表
【手続補正３】
【補正対象書類名】図面
【補正対象項目名】全図
【補正方法】変更
【補正の内容】
【図１】
2007072791.tif 000028
【図２Ａ】
2007072791.tif 000029
【図２Ｂ】
2007072791.tif 000030
【図３】
2007072791.tif 000031
【図４】
2007072791.tif 000032
【図５Ａ】
2007072791.tif 000033
【図５Ｂ】
2007072791.tif 000034
【図６】
2007072791.tif 000035
【図７Ａ】
2007072791.tif 000036
【図７Ｂ】
2007072791.tif 000037
【図８】
2007072791.tif 000038
【図９】
2007072791.tif 000039
【図１０Ａ】
2007072791.tif 000040
【図１０Ｂ】
2007072791.tif 000041
【図１０Ｃ】
2007072791.tif 000042
【図１１】
2007072791.tif 000043
【図１２】
2007072791.tif 000044
【図１３】
2007072791.tif 000045
【図１４】
2007072791.tif 000046
【図１５】
2007072791.tif 000047
【図１６】
2007072791.tif 000048
【図１７】
2007072791.tif 000049
【図１８】
2007072791.tif 000050
【図１９】
2007072791.tif 000051
【図２０】
2007072791.tif 000052
【国際調査報告】
2007072791.tif 000053
2007072791.tif 000054
2007072791.tif 000055
2007072791.tif 000056